(57)【要約】【課題】電子情報だけでなく、手書き入力された入力軌跡を表示することができ、通信セキュリティを向上させた情報表示端末を提供する。【解決手段】本発明の情報表示端末は、それぞれ表示部への表示制御手段を有する着脱可能な１又は複数の情報表示シート装置と、情報表示シート装置のそれぞれを取り付け可能なものであって、取り付けられた情報表示シート装置の接続状態を管理するシート接続状態管理手段を有するホルダ手段とを備える情報表示端末であって、ネットワークの通信処理を行う通信手段と、利用者操作によりアクセス要求を入力する入力手段と、アクセス要求を受けた場合に、シート接続状態管理手段の接続管理情報に基づいて、要求元の情報表示シート装置を用いたアクセス先へのアクセス制御を行うアクセス制御手段とを備えることを特徴とする。【選択図】      図１
2009186612.tif 000002
【特許請求の範囲】
【請求項１】
それぞれ表示部への表示制御手段を有する着脱可能な１又は複数の情報表示シート装置と、
上記情報表示シート装置のそれぞれを取り付け可能なものであって、取り付けられた上記情報表示シート装置の接続状態を管理するシート接続状態管理手段を有するホルダ手段と
を備える情報表示端末であって、
ネットワークの通信処理を行う通信手段と、
利用者操作によりアクセス要求を入力する入力手段と、
上記アクセス要求を受けた場合に、上記シート接続状態管理手段の接続管理情報に基づいて、要求元の上記情報表示シート装置を用いたアクセス先へのアクセス制御を行うアクセス制御手段と
を備えることを特徴とする情報表示端末。
【請求項２】
上記アクセス制御手段が、上記各情報表示シート装置を用いたアクセス先を制限するアクセス制限情報を上記情報表示シート装置毎に定め、アクセスの際に、使用される上記情報表示シート装置の上記アクセス先制限情報に定められたアクセス先のみのアクセス指示を行うものであることを特徴とする請求項１に記載の情報表示端末。
【請求項３】
上記各情報表示シート装置の上記アクセス制限情報を暗号化鍵を用いて暗号化処理すると共に、アクセスの際に、暗号化された上記アクセス制限情報及び上記暗号化鍵を読み出して復号処理を行う暗号化復号手段を備えることを特徴とする請求項２に記載の情報表示端末。
【請求項４】
暗号化された上記アクセス制限情報が、上記ホルダ装置又は対応する上記情報表示シート装置に保持されるものであり、
暗号化に用いた上記暗号化鍵が、対応する上記情報表示シート装置又は上記ホルダ装置に保持されるものである
ことを特徴とする請求項３に記載の情報表示端末。
【請求項５】
上記アクセス先制限情報が、アクセス制限されるアクセス先のアドレス情報を含むものであることを特徴とする請求項２〜４のいずれかに記載の情報表示端末。
【請求項６】
上記アクセス先制限情報が、アクセス先にアクセス認証が必要な場合には、ユーザ識別情報、パスワードを含むものであることを特徴とする請求項５に記載の情報表示端末。
【請求項７】
上記入力手段が、利用者により手書入力された手書入力情報を形成する手書入力機能を有するものであることを特徴とする請求項１〜６のいずれかに記載の情報表示装置。
【請求項８】
音声入出力手段を備えることを特徴とする請求項１〜７のいずれかに記載の情報表示端末。
【請求項９】
少なくとも上記入力手段が上記ホルダ装置に設けられる場合、
上記ホルダ装置の有するホルダ制御手段が、
上記入力手段からの入力情報に基づいて、手書入力による入力軌跡情報であるか又は動作指示情報であるかを判別する情報判別部と、
上記入力軌跡情報に基づいて文字認識を行い、文字情報に変換する文字認識部と
を有することを特徴とする請求項１〜８のいずれかに記載の情報表示端末。
【請求項１０】
少なくとも通信手段が上記ホルダ装置に設けられる場合、
上記ホルダ装置の有するホルダ制御手段が、上記通信手段からのアクセスサイトデータ及び上記入力手段からの文字情報を用いて、入力手段からの動作指示情報に応じたアクセス先への要求処理、及び対応する上記情報表示シート装置に対してデータの受け渡し処理を実行する処理実行部を有することを特徴とする請求項１〜９のいずれかに記載の情報表示端末。
【請求項１１】
少なくとも上記入力手段が上記ホルダ装置に設けられる場合、
上記情報表示シート装置のそれぞれの有するシート制御手段が、
上記入力手段からの入力情報に基づいて、手書入力による入力軌跡情報であるか又は動作指示情報であるかを判別する情報判別部と、
上記入力軌跡情報に基づいて文字認識を行い、文字情報に変換する文字認識部と
を有することを特徴とする請求項１〜８のいずれかに記載の情報表示端末。
【請求項１２】
少なくとも通信手段が上記ホルダ装置に設けられる場合、
上記情報表示シート装置のそれぞれの有するシート制御手段が、上記通信手段からのアクセスサイトデータ及び上記入力手段からの文字情報を用いて、入力手段からの動作指示情報に応じたアクセス先への要求処理、及び対応する上記情報表示シート装置に対してデータの受け渡し処理を実行する処理実行部を有することを特徴とする請求項１〜９のいずれかに記載の情報表示端末。
【請求項１３】
表示部への表示制御手段を有し、ホルダ装置との間で着脱可能な情報表示シート装置であって、
利用者からのアクセス要求を受けた場合に、当該情報表示シート装置を用いたアクセス先へのアクセス制御を行うアクセス制御手段を備えることを特徴とする情報表示シート装置。
【請求項１４】
表示部への表示制御手段を有し、ホルダ装置との間で着脱可能な情報表示シート装置であって、
利用者操作により入力情報を取り込むものであって、利用者により手書入力された手書入力情報を形成する手書入力機能を有する入力手段と、
上記入力手段からの入力情報に基づいて、手書入力による入力軌跡情報であるか又は動作指示情報であるかを判別する情報判別部と、上記入力軌跡情報に基づいて文字認識を行い、文字情報に変換する文字認識部とを有するシート制御手段と
を備えることを特徴とする情報表示シート装置。
【請求項１５】
ネットワークの通信処理を行う通信手段と、
上記通信手段からのアクセスサイトデータ及び入力手段からの文字情報を用いて、入力手段からの動作指示情報に応じたアクセス先への要求処理、及び対応する上記情報表示シート装置に対してデータの受け渡し処理を実行する処理実行部を有するシート制御手段と
を備えることを特徴とする請求項１３又は１４に記載の情報表示シート装置。
【請求項１６】
音声入出力手段を備えることを特徴とする請求項１３〜１５のいずれかに記載の情報表示シート装置。
【請求項１７】
１又は複数の情報表示シート装置のそれぞれを取り付け可能なホルダ装置であって、
取り付けられた上記情報表示シート装置の接続状態を管理するシート接続状態管理手段と、
利用者からのアクセス要求を受けた場合に、上記シート接続状態管理手段の接続管理情報に基づいて、要求元の上記情報表示シート装置を用いたアクセス先へのアクセス制御を行うアクセス制御手段と
を備えることを特徴とするホルダ装置。
【請求項１８】
１又は複数の情報表示シート装置のそれぞれを取り付け可能なホルダ装置であって
取り付けられた上記情報表示シート装置の接続状態を管理するシート接続状態管理手段と、
利用者操作により入力情報を取り込むものであって、利用者により手書入力された手書入力情報を形成する手書入力機能を有する入力手段と、
上記入力手段からの入力情報に基づいて、手書入力による入力軌跡情報であるか又は動作指示情報であるかを判別する情報判別部と、上記入力軌跡情報に基づいて文字認識を行い、文字情報に変換する文字認識部とを有するシート制御手段と
を備えることを特徴とするホルダ装置。
【請求項１９】
ネットワークの通信処理を行う通信手段と、
上記通信手段からのアクセスサイトデータ及び入力手段からの文字情報を用いて、入力手段からの動作指示情報に応じたアクセス先への要求処理、及び対応する上記情報表示シート装置に対してデータの受け渡し処理を実行する処理実行部を有するシート制御手段と
を備えることを特徴とする請求項１７又は１８に記載のホルダ装置。
【請求項２０】
音声入出力手段を備えることを特徴とする請求項１７〜１９のいずれかに記載のホルダ装置。
【発明の詳細な説明】
【技術分野】
【０００１】
本発明は、情報表示端末、情報表示シート装置及びホルダ装置に関し、例えば、電子ペーパを用いて、スケジュールや住所録などの情報を記憶・表示させることができる情報表示端末に適用し得るものである。
【背景技術】
【０００２】
近年、紙の長所である視認性や携帯性を備えた電子情報の表示装置として電子ペーパ技術の開発が進展している。電子ペーパとは、２枚の基板間に電界を与えることで画像を表示するものであり、いったん画像を表示させた後は各画素に電圧を掛けなくても長時間同じ画像を表示し続ける反射型ディスプレイをいう。
【０００３】
この電子ペーパは、例えば液晶表示装置よりも、厚さが薄く、重量が軽く、しかも省電力であるため、これからの表示装置としての活用が強く求められている。
【０００４】
ところで、例えば手帳は、スケジュールや住所録やメモなどを手軽に書きとめるアイテムとして古くから広く活用されているものである。そこで、電子ペーパを用いて手帳のように書きとめができ、又必要な電子情報をネットワークを通じて取得することができる携帯型の情報表示記録端末が求められている。
【０００５】
従来、この種の技術としては、下記の特許文献１〜３に開示される技術がある。
【０００６】
特許文献１には、情報表示装置及びプログラムに関する技術が開示されており、装置の電源を定期的に自動オンオフする際に、通信ネットワークを介して、情報配信サーバに接続して表示内容を更新する技術が開示されている。
【０００７】
特許文献２には、書込型ディスプレイ装置に関する技術が開示されており、電子ペーパのような表示画面の上で入力ペンを用いて書き込んだ情報を画像データとして表示画面上に重畳して表示し、その画像データも保存しておく技術が開示されている。
【０００８】
特許文献３には、ブック型表示記憶媒体及び画像書込装置に関する技術が開示されており、同一構造を有する複数枚の表示記録媒体として電子ペーパを採用し、本のように綴じ代部分を見開き可能に連結するジョイント部を備えた装置が開示されている。
【０００９】
【特許文献１】特開２００７−１３３１３９号公報
【特許文献２】特開２００３−２５６１３４号公報
【特許文献３】特開２００５−３２１７３９号公報
【発明の開示】
【発明が解決しようとする課題】
【００１０】
しかしながら、上述した特許文献１〜３に開示された技術には、以下に示すような問題がある。
【００１１】
特許文献１に記載の技術は、情報通信についてアクセスできるサイトが制限されていないので、ウィルスなどを持つ悪意なサイトにアクセスした場合には、ウィルス感染するおそれがあり、しかも、ウィルス感染したＣＰＵにより、他のシステムに対して攻撃を行なう可能性もある。従って、このようなウィルス感染の影響を最小限にするセキュリティ対策が必要である。
【００１２】
特許文献２に記載の技術は、書き込んだ情報は画像データのままであるので、一時的に表示しているときにはよいが、その表示を消去した後に、以前に書き込んだ情報を再度使いたいときには不便である。例えば、Ｗｅｂサイト上のスケジュールへのイベントの登録ができない。
【００１３】
特許文献３に記載の技術は、手書書込み入力機能はなく、又書込み装置を別構成として備える必要がある。そのため、一度書き換えたものを持ち歩いた場合、途中で書き換えをすることができない。また、手書き入力ができないので、手帳として使うには不便であるという課題がある。
【００１４】
そのため、電子情報だけでなく、手書き入力された入力軌跡を表示することができ、通信セキュリティを向上させた情報表示端末、情報表示シート装置及びホルダ装置が求められている。
【課題を解決するための手段】
【００１５】
かかる課題を解決するために、第１の本発明の情報表示端末は、（１）それぞれ表示部への表示制御手段を有する着脱可能な１又は複数の情報表示シート装置と、（２）情報表示シート装置のそれぞれを取り付け可能なものであって、取り付けられた情報表示シート装置の接続状態を管理するシート接続状態管理手段を有するホルダ手段とを備える情報表示端末であって、（３）ネットワークの通信処理を行う通信手段と、（４）利用者操作によりアクセス要求を入力する入力手段と、（５）アクセス要求を受けた場合に、シート接続状態管理手段の接続管理情報に基づいて、要求元の情報表示シート装置を用いたアクセス先へのアクセス制御を行うアクセス制御手段とを備えることを特徴とする。
【００１６】
第２の本発明の情報表示シート装置は、表示部への表示制御手段を有し、ホルダ装置との間で着脱可能な情報表示シート装置であって、（１）利用者からのアクセス要求を受けた場合に、当該情報表示シート装置を用いたアクセス先へのアクセス制御を行うアクセス制御手段を備えることを特徴とする。
【００１７】
第３の本発明の情報表示シート装置は、表示部への表示制御手段を有し、ホルダ装置との間で着脱可能な情報表示シート装置であって、（１）利用者操作により入力情報を取り込むものであって、利用者により手書入力された手書入力情報を形成する手書入力機能を有する入力手段と、（２）入力手段からの入力情報に基づいて、手書入力による入力軌跡情報であるか又は動作指示情報であるかを判別する情報判別部と、入力軌跡情報に基づいて文字認識を行い、文字情報に変換する文字認識部とを有するシート制御手段とを備えることを特徴とする。
【００１８】
第４の本発明のホルダ装置は、１又は複数の情報表示シート装置のそれぞれを取り付け可能なホルダ装置であって、（１）取り付けられた情報表示シート装置の接続状態を管理するシート接続状態管理手段と、（２）利用者からのアクセス要求を受けた場合に、シート接続状態管理手段の接続管理情報に基づいて、要求元の上記情報表示シート装置を用いたアクセス先へのアクセス制御を行うアクセス制御手段とを備えることを特徴とする。
【００１９】
第５の本発明のホルダ装置は、１又は複数の情報表示シート装置のそれぞれを取り付け可能なホルダ装置であって（１）取り付けられた情報表示シート装置の接続状態を管理するシート接続状態管理手段と、（２）利用者操作により入力情報を取り込むものであって、利用者により手書入力された手書入力情報を形成する手書入力機能を有する入力手段と、（３）入力手段からの入力情報に基づいて、手書入力による入力軌跡情報であるか又は動作指示情報であるかを判別する情報判別部と、入力軌跡情報に基づいて文字認識を行い、文字情報に変換する文字認識部とを有するシート制御手段とを備えることを特徴とする。
【発明の効果】
【００２０】
本発明によれば、手書き入力された入力軌跡を表示することができ、通信セキュリティを向上させることができる。
【発明を実施するための最良の形態】
【００２１】
（Ａ）第１の実施形態
以下では、本発明の情報表示端末、情報表示シート装置及びホルダ装置の第１の実施形態について図面を参照しながら詳細に説明する。
【００２２】
第１の実施形態では、本発明の情報表示端末の例として、１又は複数枚の電子ペーパを取り付け可能な電子ペーパシステム手帳に適用した場合を例示する。なお、第２〜第９の実施形態についても、同様に電子ペーパシステム手帳に適用した場合を例示する。
【００２３】
（Ａ−１）第１の実施形態の構成
図１は、第１の実施形態の電子ペーパシステム手帳の外観イメージを示す外観斜視図である。図１において、第１の実施形態の電子ペーパシステム手帳１は、ホルダ部１０、電子ペーパ表示部（以下、シート部ともいう）２０、文字入力機能部及び通信機能部３０を少なくとも有して構成されるものである。
【００２４】
ホルダ部１０は、シート部２０の１又は複数の電子ペーパを差し込む形でシート部２０と接続するものであり、複数の電子ペーパを束ねることができるものである。また、ホルダ部１０は、種々の形態を取ることができる。図１では、その一例として、底部を有し、シート部２０の一方の長辺及び一方の短辺を覆う形状を例示する。
【００２５】
電子ペーパ表示部（シート部）２０は、１又は複数の電子ペーパを有するものである。電子ペーパ表示部２０は、電子ペーパとしての表示部分と、その表示制御を行う制御部を備えるものである。なお、以下の説明では、電子ペーパ表示部（シート部）２０は、複数枚がホルダ部１０に差し込まれる場合を例示するが、単に電子ペーパ表示部（又はシート部）２０と表現する場合には、１枚の電子ペーパ表示部それぞれを示すものとする。つまり、以下で説明する機能は１枚の電子ペーパ表示部２０が備える機能として説明する。
【００２６】
なお、ホルダ部１０には、差し込まれたシート部２０Ａに対して動作制御を行う制御手段を備える。また、シート部２０も制御手段を備える。ホルダ部１０及びシート部２０の制御手段のハードウェア構成は省略するが、例えばＣＰＵ、ＲＯＭ、ＲＡＭ、ＥＥＰＲＯＭ等を備えるものを適用することができる。
【００２７】
図２は、第１の実施形態のホルダ部１０Ａとシート部２０Ａの内部機能を示す機能ブロック図である。
【００２８】
図２において、ホルダ部１０Ａは、文字入力機能部１１０、音声入出力機能部１０４、Ｗｅｂアクセス機能部１０５、通信機能部１０３、データ入出力機能部１０８、電源機能部１０２、電源供給機能部１０６、電子ペーパ接続機能部１０１を少なくとも有するものである。
【００２９】
また、シート部２０Ａは、データ入出力機能部１０９、表示制御機能部１０７、電子ペーパ表示機能部１１１を少なくとも有するものである。
【００３０】
電源機能部１０２は、ホルダ部１０Ａ及びシート部２０Ａの各種機能部が動作するために必要な電源を供給するものであり、例えば、電池、充電池、太陽電池、燃料電池など広く適用することができる。
【００３１】
電源供給機能部１０６は、電子ペーパ接続機能部１０１に電源電流を供給するものである。図３は、第１の実施形態の電源供給機能部１０６の内部構成を示す構成図である。図３において、電源供給機能部１０６は、電源分離部１０６１を少なくとも有する。電源分離部１０６１は、Ｓ１０６１−３を介して電源機能部１０２と接続しており、電源機能部１０２からの電源電流をＳ１０６１−１を通じてホルダ部３０の各機能部に与え、Ｓ１０６１−２で電子ペーパ接続機能部１０１に接続し、データ入出力部１０９を介して、シート部２０Ａの各機能部に電源電流を与えるものである。
【００３２】
電子ペーパ接続機能部１０１は、ホルダ部１０Ａに接続されるシート部２０Ａの接続管理を行うものであり、データ入出力機能部１０８と接続するものである。電子ペーパ接続機能部１０１は、シート部２０Ａの差し込み（接続）により、現在接続しているシート部２０Ａの枚数やシート部２０Ａのシート識別情報（例えば、シートＩＤ）を管理している。また、電子ペーパ接続機能部１０１は、電源供給機能部１０６から供給された電源電流を接続しているシート部２０Ａにも供給するものである。
【００３３】
図４は、電子ペーパ接続機能部１０１の内部構成を示す構成図である。図４において、電子ペーパ接続機能部１０１は、接続管理部１０１１、メモリ部１０１２を少なくとも有する。
【００３４】
メモリ部１０１２は、接続しているシート部２０Ａのシート識別情報（例えば、シートＩＤ）を保持するものであり、どの差し込み部（図示しないが例えばコネクタなどが該当する）に、どのシート部２０Ａが接続されているかを、差し込み部の識別情報とシート識別情報とを対応付けて保持している。
【００３５】
接続管理部１０１１は、Ｓ１０１１−１を介してデータ入出力機能部１０８と接続し、Ｓ１０１１−３を介して電源供給機能部１０６と接続し、Ｓ１０１１−２を介してシート部２０Ａのデータ入出力機能部１０９のＳ１０９１−１と接続し、Ｓ１０１１−４を介してシート部２０ＡのＳ１０９２に接続するものである。接続管理部１０１１は、メモリ部１０１２が保持している情報に基づいて、接続しているシート部２０Ａの差し込み部（図示しない）に対して電源を供給する。
【００３６】
文字入力機能部１１０は、データ入出力機能部１０８と接続しており、利用者が専用ペンを用いてシート部２０Ａの表示面上に手書き入力した軌跡を読み取り、その入力軌跡に従った入力情報を取り込むものである。また、文字入力機能部１１０は、入力情報をデータ入出力機能部１０８に与えるものである。
【００３７】
文字入力機能部１１０としては、種々の技術を適用することができ、例えば、スタイタペンにより書き込まれた情報を読み取る方法や、デジタルペンにより書き込まれた情報を読み取る方法など広く適用することができる。
【００３８】
例えば、スタイラスペンを用いた文字入力方法としては、シート部２０Ａの電子ペーパ表示機能部１１１の表示部分１１３がスタイラスペンの先端の位置座標（ｘ座標、ｙ座標）を検知し、その軌跡を読み取る方法を適用することができる。
【００３９】
例えば、デジタルペンを用いた文字入力方法としては、例えば、アノトパターン方式（カメラ付き電子ペンを用いた文字入力方法）を適用でき、例えばシート部２０Ａの表示部分に細かいドットが表示されており、電子ペンのカメラがドットを読み取ることで入力軌跡を読み取る方法であって、例えば、アノトグループ，アノト機能のしくみ，インターネット，２００７年１２月２１日検索，http://functionality.anoto.co.jp/cldoc/ajp24.htmに開示された技術を適用することができる。この場合、ホルダ部１０Ａに入力軌跡を読み取る読み取り解析する解析部が設けられる。
【００４０】
また例えば、超音波方式（例えばエアペン（登録商標）など）を適用でき、超音波を発するペンにより、メモリユニットが２箇所で超音波を受け、三角測量でペン座標を計算してデータを蓄積する方法であって、例えば、ペンテル株式会社，製品情報  動作原理−デジタルペン，インターネット，２００７年１２月２１日検索、http://www.airpen.jp/products/dousagenri.htmlに開示された技術を適用することができる。この場合、ホルダ部１０Ａに専用ペンからの超音波を受信する受信部及び解析部が設けられる。
【００４１】
音声入出力機能部１０４は、利用者の音声を捕捉して音声データに変換したり、通信機能部１０３及びデータ入出力機能部１０８を介して入力した音声データを音声に変換して出力したりするものである。音声入出力機能部１０４は、既存のＩＰ電話機能や音声入出力技術などを適用することができる。これにより、Ｗｅｂサイトからダウンロードした音声データを再生したり、ＩＰ電話機能を用いた音声通信が可能となる。
【００４２】
図５は、音声入出力機能部１０４の内部構成を示す構成図である。図５において、音声入出力機能部１０４は、スピーカ部１０４１、マイク部１０４２、音声復号部１０４３、データ分離合成部１０４４、音声符号部１０４５を少なくとも有する。
【００４３】
スピーカ部１０４１は、音声復号部１０４３からの音声を出力するものであり、マイク部１０４２は、利用者の音声を捕捉し、その音声を音声符号部１０４５に与えるものである。
【００４４】
音声復号部１０４３は、Ｓ１０４４を通じてデータ入出力機能部１０８から受信した音声データをデータ分離合成部１０４４から受け取り、その受信した音声データを復号してスピーカ部１０４１に与えるものである。
【００４５】
音声符号部１０４５は、マイク部１０４２から受け取った音声を符号化してデータ分離合成部１０４４に与えるものである。これにより、
音声復号部１０４３及び音声符号部１０４４の音声符号化・復号方式は、特に限定されるものではなく広く適用することができる。例えば、ＰＣＭ方式、ＡＤ−ＰＣＭ方式、ＣＥＬＰ方式などを適用することができる。
【００４６】
データ分離合成部１０４４は、Ｓ１０４４を通じてデータ入出力機能部１０８から受け取ったデータから音声データを抽出して音声復号部１０４３に与えたり、音声符号部１０４５からの音声データを合成してＳ１０４４を通じてデータ入出力機能部１０８に与えるものである。
【００４７】
Ｗｅｂアクセス機能部１０５は、データ入出力機能部１０８及び通信機能１０３を介したＷｅｂサイトへのアクセスについて、各シート部２０Ａのアクセス管理を行うものである。Ｗｅｂアクセス機能部１０５は、各シート部２０ＡのアクセスできるＷｅｂサイトのアドレスを記憶するものである。これにより、各シート部２０Ａを用いてアクセスできるＷｅｂサイトを制限することができる。このようにＷｅｂサイトのアクセスに制限を設けることにより、ウィルス感染等を回避できるので、通信セキュリティを向上させることができる。
【００４８】
また、Ｗｅｂアクセス機能部１０５は、各シート部２０Ａを用いてアクセスできるＷｅｂサイトについて、１枚のシート部２０Ａに対して１個のＷｅｂサイトアドレスを記憶するものとする。
【００４９】
図６は、Ｗｅｂアクセス機能部１０５の内部構成を示す構成図である。図６において、Ｗｅｂアクセス機能部１０５は、メモリ部１０５１、Ｗｅｂアクセス指示部１０５２を少なくとも有するものである。
【００５０】
メモリ部１０５１は、各シート部２０Ａを用いてアクセスできるＷｅｂサイトのアドレスを保持するものである。なお、メモリ部１０５１が保持するアドレスは、データ入出力機能部１０８を介して、利用者により入力されたＷｅｂサイトのアドレスである。
【００５１】
図７は、メモリ部１０５１に保持される情報例を示す説明図である。なお、複数枚のシート部２０Ａが接続されている場合、メモリ部１０５１は、それぞれのシート部２０Ａに対して図７に例示される情報を保持する。
【００５２】
図７に示すように、メモリ部１０５１が保持する情報項目としては、例えば、「シートＩＤ」、「タイトル」、「ＵＲＬ」、「接続許可ドメイン」、「ＩＤ」、「ＰＷ（パスワード）」がある。
【００５３】
「シートＩＤ」は、シート部２０Ａを識別する識別情報であり、「タイトル」は、各シート部２０Ａに対して名づけたシートの名称である。この「タイトル」は、利用者による入力により名づけられたものであってもよいし、Ｗｅｂサイトのアクセス時に読み込んだＷｅｂサイトの名称をそのまま用いたものであってもよい。
【００５４】
「ＵＲＬ」は、Ｗｅｂサイトのアドレスである。上述したように、メモリ部１０５１は、１枚のシート部２０Ａに対して１個のＷｅｂサイトのアドレスを対応付けて保持する。
【００５５】
「接続許可ドメイン」は、接続許可されるＷｅｂサイトのアドレスである。このように「接続許可ドメイン」を設けることとした理由は、基本的には、１枚のシート部２０Ａを用いてアクセスできるＷｅｂサイトは１つであるが、アクセスするＷｅｂサイトによっては、別のドメインに飛ぶ場合をある。従って、飛ぶ先のドメインへのアクセスについても許可できるように「接続許可ドメイン」の項目を設け、「接続許可ドメイン」に保持されるドメインについては、アクセスされるものとする。なお、「接続許可ドメイン」には、複数のドメインが保持されるようにしてもよい。
【００５６】
「ＩＤ」及び「ＰＷ」は、アクセス先のＷｅｂサイトによっては、アクセスのためのＩＤやＰＷが必要な場合がある。そこで、「ＩＤ」及び「ＰＷ」では、当該Ｗｅｂサイトへのアクセスに必要なＩＤ及びＰＷを保持するようにする。
【００５７】
Ｗｅｂアクセス指示部１０５２は、利用者からの指示を受けて、利用者が使用しているシート部２０ＡのシートＩＤに対応するＷｅｂサイトのアドレスをメモリ部１０５１から取得し、そのＷｅｂサイトのアドレスへのアクセス指示を、データ入出力機能部１０８を介して通信機能部１０３に対して行うものである。
【００５８】
通信機能部１０３は、データ入出力機能部１０８からの指示を受けて、ネットワーク通信を実行するものである。通信機能部１０３は無線通信を行うものであり、無線通信方式は特に限定されるものではなく広く適用することができる。例えば、種々の無線ＬＡＮ方式（例えば、いわゆるＷｉＦｉ（登録商標）方式やＷｉＭａｘ（登録商標）、ブルートゥース（登録商標）等の近距離無線通信方式などを適用することができる。
【００５９】
図８は、通信機能部１０３の内部構成を示す構成図である。図８において、通信機能部１０３は、アンテナ部１０３１、電波接続部１０３２、ＩＤ認証部１０３３、一時記憶部１０３４を少なくとも有する。
【００６０】
アンテナ部１０３１は、到来した電波を捕捉して復調処理などの受信処理や、送信データの変調処理などの送信処理を行ない電波信号を放出するものである。
【００６１】
電波接続部１０３２は、ネットワークの接続処理（すなわちセッション確立）を行うものである。
【００６２】
ＩＤ認証部１０３３は、Ｗｅｂサイトへのアクセスする際にＩＤ及びパスワードによる認証が必要な場合、データ入出力機能部１０８を介して、Ｗｅｂアクセス機能部１０５から取得したＩＤ及びパスワードをＷｅｂサイトのアドレスに送信して認証処理を行うものである。
【００６３】
一時記憶部１０３４は、アクセス先のＷｅｂサイトに向けて送信する入力データがある場合に一時的に入力データを記憶したり、又はＩＤ認証部１０３３による認証処理の際に、認証処理に必要なＩＤ及びパスワードを一時的に記憶したりするものである。
【００６４】
データ入出力機能部１０８は、ホルダ部１０Ａのデータ入出力機能部である。データ入出力機能部１０８は、文字入力機能部１１０、音声入出力機能部１０４、Ｗｅｂサイトアクセス機能部１０５、通信機能部１０３及び電子ペーパ接続機能部１０１と接続しており、利用者が使用しているシート部２０Ａに関するデータの入力処理及び出力処理を制御するものである。
【００６５】
図９は、データ入出力機能部１０８の内部構成を示す構成図である。図９において、データ入出力機能部１０８は、データ分離部１０８１、通信指示部１０８２、文字認識部１０８３、一時記憶部１０８４、暗号・復号部１０８５を少なくとも有する。
【００６６】
データ分離部１０８１は、Ｓ１０８１を通じて文字入力機能部１１０と接続しており、文字入力機能部１１０から入力データを受け取ると、この入力データから、文字データ（例えば、専用ペンの入力軌跡をなぞったデータ）と動作指示データ（例えば、クリックやドラッグなどのデータ）とに分離するものである。また、データ分離部１０８１は、文字データを文字認識部１０８３に与え、動作指示データを一時記憶部１０８４に与えるものである。
【００６７】
ここで、データ分離方法としては、文字入力機能部１１０の文字入力方法に応じて種々の方法を適用することができる。例えば、文字入力方法としてスタイラスペンを用いた方法を適用する場合、シート部２０Ａの電子ペーパ表示機能部１１１の表示部分１１１３は、スライラスペンで文字入力する文字入力表示部分と、スタイラスペンで動作ボタンの押下（クリック）を許容する動作指示表示部分とを有する。そして、文字入力機能部１１０からの入力データが、スタイラスペンで指示された場所が文字入力表示部分が示す領域である場合、当該データを文字データであると判別し、動作指示表示部分が示す領域である場合、当該データを動作指示データであると判別する方法を適用できる。
【００６８】
文字認識部１０８３は、データ分離部１０８１から文字データを受け取り、この文字データに基づいて入力文字を認識し、その認識結果に基づいて文字コードに変換するものである。また、文字認識部１０８３は、認識した文字コードを一時記憶部１０８４に与えるものである。
【００６９】
ここで、文字認識部１０８３の文字認識処理は、既存の文字認識処理を広く適用することができる。例えば、文字入力表示部分の領域における、手書きの入力開始位置（ｘ座標、ｙ座標）と手書きの軌跡データとに基づき、認識アルゴリズムに従って文字コードデータベースとパターンマッチングを行い、文字コードを認識する方法を適用できる。
【００７０】
この場合、文字認識部１０８３は、認識した文字コードと、軌跡データの最初の位置データ（座標値）を一時記憶部１０８４に与える。
【００７１】
なお、認識する文字の種類は、文字コードデータベースによるが、例えば、漢字、ひらがな、カタカナ、英字、数字、記号など広く適用できる。
【００７２】
通信指示部１０８２は、通信処理を開始する際に、Ｗｅｂアクセス機能部１０５からのＷｅｂサイトのアドレス（必要に応じてＩＤ及びＰＷ）を一時記憶部１０８４から取得し、通信機能部１０３に対して通信指示を行うものである。また、通信指示部１０８２は、通信機能部１０３により取得されたＷｅｂサイトのＷｅｂデータを一時記憶部１０８４に記憶させるものである。
【００７３】
一時記憶部１０８４は、Ｓ１０８４−１を通じて音声入出力機能部１０４からの音声データ、Ｓ１０８４−２を通じてＷｅｂアクセス機能部１０５からのＷｅｂサイトのアドレス（必要に応じてＩＤ及びＰＷ）、Ｓ１０８４−３を通じて電子ペーパ接続機能部からのデータ、データ分離部１０８１からの動作指示データ、文字認識部１０８３からの文字コード及び文字入力開始位置データ、通信指示部１０８２からのＷｅｂサイトのデータ等を一時的記憶するものである。
【００７４】
また、一時記憶部１０８４は、Ｗｅｂアクセス機能部１０５からのアドレス、ＩＤ及びＰＷについては、暗号化されたままの状態で取得し、一時的に記憶する。
【００７５】
暗号・復号部１０８５は、Ｗｅｂサイトのアドレスを登録する際、取得したＷｅｂサイトのアドレス、ＩＤ及びＰＷを、暗号化鍵を用いて暗号化し、暗号化したアドレス、ＩＤ及びＰＷをメモリ部１０５１に保持する。また、暗号・復号部１０８５は、電子ペーパ接続機能部１０１を介して、この暗号化に用いた暗号化鍵を、対応するシート部２０Ａのデータ入出力機能部１０９のメモリ部１０９５に与えて保持させる。
【００７６】
また、暗号・復号部１０８５は、Ｗｅｂサイトへのアクセスの際、一時記憶部１０８４に記憶されている暗号されているアドレス、ＩＤ及びＰＷを、シート部２０Ａのデータ入出力機能部１０９から読み出した暗号化鍵を用いて復号処理を行うものである。
【００７７】
これは、アドレス、ＩＤ及びＰＷを平文で保持することはセキュリティ上問題があるが、アドレス、ＩＤ及びＰＷを暗号化することで、セキュリティを向上させることができる。
【００７８】
また、暗号化したアドレス、ＩＤ及びＰＷをホルダ部１０Ａ側に保持させ、暗号化鍵をシート部２０Ａ側に保持させるというように、暗号化されたドメイン、ＩＤ及びＰＷと、復号に必要な暗号化鍵との保持する場所を別にすることができるので、ＩＤ、ＰＷの不正な読み出しを防止することができる。
【００７９】
なお、不正な読み出しを防止できる観点より、別々の場所で保持させることができるのであれば、Ｗｅｂサイトアドレス、ＩＤ、ＰＷ、暗号化鍵のそれぞれを、どのような組み合わせで保持させるようにしてもよい。
【００８０】
データ入出力機能部１０９は、シート部２０Ａのデータ入出力機能部である。データ入出力機能部１０９は、表示制御機能部１０７、電子ペーパ接続機能部１０１と接続しており、当該シート部２０Ａを使用する利用者により入力された入力データ及びホルダ部１０Ａからのデータに基づいて出力処理を行うものである。
【００８１】
図１０は、データ入出力機能部１０９の内部構成を示す構成図である。図１０において、データ入出力機能部１０９は、メモリ部１０９５、一時記憶部１０９１を少なくとも有するものである。
【００８２】
メモリ部１０９５は、該シート部２０Ａのシート識別情報（例えばシートＩＤ）を保持するものである。また、メモリ１０９５は、電子ペーパ接続機能部１０１及びデータ入出力機能部１０８を介して、Ｗｅｂアクセス機能部１０５から、アクセス可能なＷｅｂサイトのアドレス、ＩＤ及びＰＷの暗号処理に必要な暗号化鍵を受け取り、この暗号化鍵を保持するものである。また、メモリ部１０９５は、Ｗｅｂサイトにアクセスする際、Ｓ１０９１−１を通じて電子ペーパ接続機能部１０１及びデータ入出力機能部１０８を介し、保持している暗号化鍵をＷｅｂアクセス機能部１０５に与える。
【００８３】
一時記憶部１０９１は、Ｓ１０９１−１を通じて電子ペーパ接続機能部１０１から、Ｗｅｂデータを受け取り、１ページ分のデータを取得するまで一時的に記憶するものである。また、一時記憶部１０９は、１ページ分のデータを取得すると、その１ページ分のＷｅｂデータを、Ｓ１０９１−２を通じて表示制御機能部１０７に与えるものである。なお、一時記憶部１０９１は、Ｗｅｂデータを保持するデータについて所定時間を設定しておき、この所定時間が経過しても１ページ分のデータを取得できない場合に、電子ペーパ接続機能部１０１に対して再送要求を行うようにしてもよい。
【００８４】
図１０において、Ｓ１０９２は、電子ペーパ接続機能部１０１のＳ１０１１−４に接続されているが、一時記憶部１０９１には接続されておらず、シート部２０Ａの各機能部接続されている。
【００８５】
表示制御機能部１０７は、データ入出力機能部１０９からのＷｅｂデータを表示用データに変換して、この表示用データを電子ペーパ表示機能部１１１に与えるものである。
【００８６】
図１１は、表示制御機能部１０７の内部構成を示す構成図である。図１１において、表示制御機能部１０７は、データ分離部１０７１を少なくとも有する。
【００８７】
データ分離部１０７１は、Ｓ１０７１−１を通じてデータ入出力制御部１０９からＷｅｂデータを取得すると、このＷｅｂデータを表示用データに変換し、その表示用データを縦と横のドライバ用信号に分離するものである。
【００８８】
この信号の分離方法としては、特に限定されるものではなく、電子ペーパ表示機能部１１１の表示駆動方法に応じて種々の既存技術を適用することができる。
【００８９】
また、データ分離部１０７１は、Ｓ１０７１−２を通じて縦のドライバ用信号を出力し、Ｓ１０７１−３を通じて横のドライバ用信号を出力する。
【００９０】
電子ペーパ表示機能部１１１は、表示制御機能部１０７からの表示用データに基づいて、シート部２０Ａの表示部分に出力表示するものである。
【００９１】
図１２は、電子ペーパ表示機能部１１１の内部構成を示す構成図である。図１２において、電子ペーパ表示制御部１１１は、縦用ドライバ部１１１１、横用ドライバ部１１１２、駆動部分１１１３、表示部分１１１４を少なくとも有する。
【００９２】
縦用ドライバ部１１１１は、Ｓ１１１１を通じて表示制御機能部１０７から縦用のドライバ用信号を受け取り、その縦用のドライバ用信号に基づいて駆動部分１１１３に対して表示のための信号を送信するものである。
【００９３】
横用ドライバ部１１１２は、Ｓ１１１２を通じて表示制御機能部１０７から横用のドライバ用信号を受け取り、その横用のドライバ用信号に基づいて駆動部分１１１３に対して表示のための信号を送信するものである。
【００９４】
駆動部分１１１３は、縦用ドライバ部１１１１及び横ドライバ部１１１２からの表示のための信号を受け取り、表示部分１１１４に対して、プラス又はマイナスの電圧をかけることによって、表示部分１１１４の表示を切り替えるものである。
【００９５】
表示部分１１１４は、駆動部分１１１３からの電圧により、電子ペーパの前面板の表示を切り替えるものである。表示部分１１１４の表示方式としては、特に限定されるものではないが、例えば、マイクロカプセル型電気泳動方式、コレステリック液晶方式、エレクトロミック方式などを適用することができる。
【００９６】
（Ａ−２）第１の実施形態の動作
次に、第１の実施形態の電子ペーパシステム手帳１における処理動作について図面を参照して説明する。
【００９７】
（Ａ−２−１）シート接続処理
利用者がシート部２０Ａをホルダ部１０Ａに差し込む形で接続する。電子ペーパ接続機能部１０１の接続管理部１０１１がシート部２０Ａの接続を確認すると、接続管理部１０１１は、当該シート部２０Ａのデータ入出力機能部１０９のメモリ部１０９５に保持されているシートＩＤを読み出す。
【００９８】
そして、接続管理部１０１１は、ホルダ部１０Ａの差込部の識別情報とシート部２０ＡのシートＩＤとを対応付けて、シート部２０Ａの接続関係情報をメモリ部１０１２に保持する。
【００９９】
その後、後述するように、利用者の操作を受けて、ホルダ部１０Ａの各種機能部からのデータが電子ペーパ接続機能部１０１に与えられると、メモリ部１０１２の接続関係情報に従って、ホルダ部１０Ａからのデータがシート部２０Ａに与えられる。一方、シート部２０Ａからのデータ（例えば再送要求など）が電子ペーパ接続機能部１０１に与えられると、そのデータがホルダ部１０Ａに与えられる。
【０１００】
（Ａ−２−２）Ｗｅｂサイトへのアクセス処理
まず、各シート部２０ＡのＷｅｂサイトアドレスの登録処理例について図１３のフローチャートを参照して説明する。
【０１０１】
Ｗｅｂサイトアドレスの登録処理については、種々の方法が考えられるが、例えば、ホルダ部１０Ａが備える登録操作手段（図示しない）又はシート部２０Ａの表示部分に表示される登録操作手段（図示しない）などを用いて所定の登録方法により行うことができる。
【０１０２】
例えば、スケジュール管理機能を提供するＷｅｂサイトへのアクセスに当該シート部２０Ａを使用する場合、利用者は、Ｗｅｂサイトのアドレスを入力して、Ｗｅｂサイトにアクセスする（Ｆ１０１）。
【０１０３】
このとき、当該ＷｅｂサイトへのアクセスにＩＤ及びＰＷが必要である場合（Ｆ１０２）、利用者はＩＤ及びＰＷを入力し（Ｆ１０３）、必要なければ、Ｆ１０４に進む。
【０１０４】
当該シート部２０Ａのタイトルについては、例えば利用者により入力された名称又は当該Ｗｅｂサイトの名称が付与される（Ｆ１０４）。なお、文字入力については、文字入力機能部１１０による処理を適用することで実現できる。
【０１０５】
場合によって、当該Ｗｅｂサイトへのアクセス成功後、目的のスケジュール管理を行うドメインへ飛ぶ場合がある。この場合、目的のスケジュール管理を行うドメインを図７の項目「ＵＲＬ」に書き込まれ、最初にアクセスすべきドメインが図７の項目「接続許可ドメイン」に書き込まれる。
【０１０６】
そして、目的のＷｅｂサイトへのアクセスが成功すると、利用者が例えば登録ボタン（図示しない）を選択することで、当該シート部２０Ａを用いてアクセスできるＷｅｂサイトが決定される（Ｆ１０５）。
【０１０７】
このとき、メモリ部１０５１の項目「ＵＲＬ」、「接続許可ドメイン」、「ＩＤ」及び「ＰＷ」について、暗号・復号部１０８５により暗号化鍵を用いた暗号化処理が行われ（Ｆ１０６）、暗号化されたデータがメモリ部１０５１に保存され（Ｆ１０７）、暗号化処理に用いられた暗号化鍵が当該シート部２０Ａのデータ入出力機能部１０９のメモリ部１０９５に保存される（Ｆ１０８）。
【０１０８】
以上のようにして、ホルダ部１０ＡのＷｅｂアクセス機能部１０５のメモリ部１０５１には、１又は複数枚のシート部２０Ａのそれぞれを用いてアクセスできるＷｅｂサイトのアドレスが暗号化されて記憶され、各シート部２０Ａのデータ入出力機能部１０９には暗号化鍵が記憶されるものとなる。
【０１０９】
また、ホルダ部１０Ａのメモリ部１０５１に記憶されるＷｅｂサイトのアドレスは、各シート部２０Ａ毎に１個のアドレスが保持されるものとする。これにより、各シート部２０Ａを用いてアクセスできるＷｅｂサイトが制限されるので、通信セキュリティを向上させることができる。
【０１１０】
次に、既にホルダ部１０ＡのＷｅｂアクセス機能部１０５に各シート部２０Ａを用いてアクセスできるＷｅｂサイトのアドレスが記憶されているものとし、その後、当該シート部２０Ａが接続されているときのＷｅｂサイトへのアクセス処理について、図１４を参照して説明する。
【０１１１】
シート部２０Ａの接続が完了した後、利用者の操作によりＷｅｂサイトへのアクセス開始指示が、Ｗｅｂアクセス機能部１０５のＷｅｂアクセス指示部１０５２に与えられ、メモリ部１０５１から暗号化されているＷｅｂサイトのアドレス、ＩＤ及びＰＷが一時記憶部１０８４に与えられる（Ｆ２０１）。
【０１１２】
そうすると、データ入出力機能部１０８の暗号・復号部１０８５は、シート部２０Ａのデータ入出力機能部１０９のメモリ部１０９５に保持されている暗号化鍵を読み取り（Ｆ２０２）、この暗号化鍵を用いて、一時記憶部１０８４中の暗号化されているアクセス先のアドレス、ＩＤ及びＰＷの復号処理を行う（Ｆ２０３）。
【０１１３】
そして、Ｗｅｂアクセス指示部１０５２は、データ入出力機能部１０８を介して通信機能部１０３に対してＷｅｂサイトへの接続指示を要求すると、データ入出力機能部１０８の一時記憶部１０８４に保持されている復号されたアドレス、ＩＤ及びＰＷが通信機能部１０３に与えられる（Ｆ２０４）。
【０１１４】
通信機能部１０３は、アクセス先のアドレス、ＩＤ及びＰＷを用いて、Ｗｅｂサイトへの接続を行い、Ｗｅｂサイトへのアクセスが成功すると（Ｆ２０５）、Ｗｅｂサイトを表示するために必要なデータが通信機能部１０３を介してデータ入出力機能部１０８に与えられる（Ｆ２０６）。ここで、Ｗｅｂサイトを表示するために必要なデータとは、例えば、ＨＴＭＬデータやＡｊａｘプログラムなどが該当する。
【０１１５】
データ入出力機能部１０８にダウンロードされたＷｅｂサイトを表示するために必要なデータは、電子ペーパ接続機能部１０１を通じてシート部２０Ａのデータ入出力機能部１０９に与えられる。そして、Ｗｅｂサイトを表示するためのデータは表示制御機能部１０７に与えられ、表示用データに変換され、表示用データが電子ペーパ表示機能部１１１に与えられると、電子ペーパ上にＷｅｂサイト情報が表示される（Ｆ２０７）。
【０１１６】
以上のようにして、通信セキュリティを考慮しながら、電子ペーパ上に、例えばスケジューリング管理を提供するＷｅｂサイト情報を表示すると、利用者は文字入力機能部１１０を利用してスケジュールなどの書き込みを行う。
【０１１７】
例えば、利用者は、例えばスタイラスペンを用いて、シート部２０Ａの電子ペーパ表示機能部１１１の電子ペーパ表示部分１１１４の表面をなぞる。そうすると、ホルダ部１０Ａの文字入力機能部１１０により入力軌跡が検出され、そのデータがデータ入出力機能部１０８のデータ分離部１０８１に与えられる。
【０１１８】
文字入力機能部１１０からの入力データは、データ分離部１０８１により文字入力データであるか、又はスクロールやクリック等の指示を示す動作指示データであるかを判別する。そして、文字入力データが文字認識部１０８３に与えられ、動作指示データは一時記憶部１０８４に与えられる。
【０１１９】
文字認識部１０８３では、文字入力データに基づいて文字認識を行い、軌跡データから文字コードに変換され、文字コード及び軌跡データの最初の点の座標値が一時記憶部１０８４に与えられる。
【０１２０】
一時記憶部１０８５では、通信指示部１０８２から取得したＷｅｂサイト上のデータと、文字認識部１０８３からの文字コード及び最初の点の座標値データと、データ分離部１０８１からの動作指示データとが一時的に記憶されており、これらのデータにより、次の動作が決定される。
【０１２１】
例えば、フォーム入力（スケジュールデータの入力など）の場合は、フォームに入力されたデータをＷｅｂサイト上の指定された場所に送信するために、通信指示部１０８２に送信の命令と送信データを与える。
【０１２２】
また例えば、リンクをポイントする場合（スケジュールデータの入力する月日を選択する場合など）、そのリンク先のＷｅｂサイトデータを取得するように、通信指示部１０８２にリンク先のデータを取得する命令とそのアドレスデータを与える。
【０１２３】
また、一時記憶部１０８４に与えられたデータは、電子ペーパ接続機能部１０１を介して、シート部２０Ａのデータ入出力機能部１０９及び表示制御機能部１０７に与えられ、表示用データに変換されて、表示ペーパ上に表示される。
【０１２４】
さらに、データ入出力機能部１０９から再送要求があった場合には、電子ペーパ接続機能部１０１を介して、データ入出力機能部１０８の一時記憶部１０８４に与えられ、Ｗｅｂサイトデータの再送を要求する。
【０１２５】
（Ａ−３）第１の実施形態の効果
以上のように、第１の実施形態によれば、以下のような効果を得ることができる。
【０１２６】
（１）シート部を用いてアクセスできるＷｅｂサイトのアドレスを、各シート部毎に１個としてアクセス制限の機能を備えることにより、（ａ）１枚のブラウザウィンドウ程度の簡単なソフトウェアのみで実現できる。（ｂ）複雑な処理をする必要がないので、簡単なハードウェア構成をとることができる。（ｃ）ウィルスなどが混入しても、その影響を限定的に抑えることができる。
【０１２７】
（２）各シート部のＷｅｂサイトのアドレス、ＩＤ、ＰＷを、ホルダ部とシート部２０Ａに別々に保持させることにより、セキュリティを向上させることができる。
【０１２８】
（３）各種機能部をホルダ部に集中させることにより、（ａ）シート部の構成部品を少なくできるので、コスト削減に繋がる。（ｂ）各シート部の要求をまとめて受けることができるので、資源の有効活用ができる。（ｃ）シート部を薄く作ることができ、コンパクトな手帳型の端末を実現できる。
【０１２９】
（４）文字入力機能部を備えることにより、手書き入力が可能になり、かつ、文字認識部を備えることにより、手書きのデータをデジタルの文字コードに変換してＷｅｂサーバに送信できる。入力と出力の両方の機能を備えることできるので、従来の手帳の手書きの世界と、Ｗｅｂの世界をシームレスに接続できる。
【０１３０】
（Ｂ）第２の実施形態
次に、本発明の情報表示端末、情報表示シート装置及びホルダ装置の第２の実施形態について図面を参照して説明する。
【０１３１】
（Ｂ−１）第２の実施形態の構成
図１５は、第２の実施形態の電子ペーパシステム手帳のホルダ部１０Ｂとシート部２０Ｂの内部構成を示す構成図である。
【０１３２】
図１５において、ホルダ部１０Ｂは、音声入出力機能部１０４、Ｗｅｂアクセス機能部１０５、通信機能部１０３、データ入出力機能部１０８、電源機能部１０２、電源供給機能部１０６、電子ペーパ接続機能部１０１を少なくとも有するものである。
【０１３３】
また、シート部２０Ｂは、データ入出力機能部１０９、表示制御機能部１０７、電子ペーパ表示機能部１１１、文字入力機能部１１０を少なくとも有するものである。
【０１３４】
ホルダ部１０Ｂにおける、音声入出力機能部１０４、Ｗｅｂアクセス機能部１０５、通信機能部１０３、データ入出力機能部１０８、電源機能部１０２、電源供給機能部１０６、電子ペーパ接続機能部１０１の機能構成は、第１の実施形態で説明した構成と同じであるので、ここでの詳細な説明は省略する。
【０１３５】
また、シート部２０Ｂにおける、データ入出力機能部１０９、表示制御機能部１０７、電子ペーパ表示機能部１１１の機能構成は、第１の実施形態で説明した構成と同じであるので、ここでの詳細な説明は省略する。
【０１３６】
第２の実施形態では、文字入力機能部１１０がシート部２０Ｂに設けられており、これにより、ホルダ部１０Ｂのデータ入出力機能部１０８及びシート部２０Ｂのデータ入出力機能部１０９の機能構成が、第１の実施形態の機能構成と異なる。そこで、以下では、ホルダ部１０Ｂのデータ入出力機能部１０８及びシート部２０Ｂのデータ入出力機能部１０９の機能構成を中心に説明する。
【０１３７】
文字入力機能部１１０は、シート部２０Ｂにおいて、データ入出力機能部１０９に接続されているものである。文字入力機能部１１０としては、第１の実施形態で説明したデジタルペンを用いた文字入力方式を適用することができる。但し、第１の実施形態で例示した超音波方式（例えば、エアペン（登録商標））の場合、ペンが発する超音波を受信するメモリユニットが必要であるため、第２の実施形態には適用できない。また、文字入力機能部１１０としては、例えば、タブレット方式のような感圧式も適用することができる。
【０１３８】
第２の実施形態では、シート部２０Ｂが文字入力機能部１１０を備える。これにより、シート部２０Ｂが一体的に文字入力機能部１１０を備えることになるため、文字入力・表示機能の精度が向上する。
【０１３９】
図１６は、ホルダ部１０Ｂ側のデータ入出力機能部１０８の内部構成を示す構成図である。図１６において、第２の実施形態のデータ入出力機能部１０８は、通信指示部１０８２、一時記憶部１０８４を少なくとも有するものであり、データ分離部１０８１及び文字認識部１０８３を有しない点が第１の実施形態（図９参照）と異なる。
【０１４０】
通信指示部１０８２は、一時記憶部１０８４に接続するものであり、第１の実施形態と同様に、通信機能部１０３に対して通信指示を行うものである。
【０１４１】
一時記憶部１０８４は、Ｓ１０８４−１を通じて音声入出力機能部１０４と接続し、Ｓ１０８４−２を通じてＷｅｂアクセス機能部１０５と接続し、Ｓ１０８４−３を通じて電子ペーパ接続機能部１０１と接続するものである。
【０１４２】
図１７は、シート部２０Ｂ側のデータ入出力機能部１０９の内部構成を示す構成図である。図１７において、第２の実施形態のデータ入出力機能部１０９は、一時記憶部１０９１、メモリ部１０９５、データ分離部１０９３、文字認識部１０９４を少なくとも有するものである。
【０１４３】
なお、Ｓ１０９２は、電源供給線であり、一時記憶部１０９１には接続されず、シート部２０の各構成要件に接続している。
【０１４４】
一時記憶部１０９１は、Ｓ１０９１−１を通じて電子ペーパ接続機能部１０１と接続し、Ｓ１０９１−２を通じて表示制御機能部１０７と接続し、Ｓ１０９１−３を通じて文字入力機能部１１０と接続されているものである。
【０１４５】
メモリ部１０９５は、第１の実施形態のメモリ部１０９５と同じものである。
【０１４６】
データ分離部１０９３は、文字入力機能部１１０から与えられた入力データを文字データと動作指示データに分離し、文字データを文字認識部１０９４に与え、動作指示データを一時記憶部１０９１に与えるものである。データ分離部１０９３のデータ分離方法は、第１の実施形態と同じように、種々の方法を適用することができる。
【０１４７】
文字認識部１０９４は、データ分離部１０９４からの文字データに基づいて文字認識をし、その認識結果に基づいて文字コード及び軌跡データの最初の点の座標値を一時記憶部１０９１に与えるものである。文字認識部１０９４の文字認識方法は、第１の実施形態と同様に、種々の方法を適用することができる。
【０１４８】
（Ｂ−２）第２の実施形態の動作
図１５を参照しながら、第２の実施形態の電子ペーパシステム手帳１Ｂにおける処理動作を説明する。なお、以下では、第１の実施形態と異なる点を中心に説明する。
【０１４９】
第２の実施形態は、文字入力機能部１１０がシート部２０Ｂに移っているので、そのことで接続関係が変化しているので、ホルダ部１０のデータ入力機能部１０８及びシート部２０のデータ入力機能部１０９の動作が第１の実施形態と異なる。
【０１５０】
まず、シート部２０にスタイラスペンを用いてシート部２０Ｂの電子ペーパ表示機能部１１１の電子ペーパ表示部分の表面をなぞることにより、シート部２０Ｂの文字入力機能部１１０でペンの軌跡を検出して、文字入力やスクロールやリンクのクリック等の指示を認識し、その結果のデータがデータ入出力機能部１０９に与えられる。
【０１５１】
このデータは、表示制御機能部１０７にも与えられ、電子ペーパに表示するための表示用データに変換されて、電子ペーパ表示機能部１１１に与えられ、電子ペーパ上に表示される。
【０１５２】
また、データ入出力機能部１０９におけるデータは、更に電子ペーパ接続機能部１０１を介して、ホルダ部１０Ｂのデータ入出力機能部１０８に与えられる。
【０１５３】
ホルダ部１０Ｂのデータ入出力機能部１０９は、第１の実施形態と同様に、文字データ、音声データ、Ｗｅｂサイトのアドレス（必要に応じてＩＤ及びＰＷも含む）は、一時的に一時記憶部１０８４に記憶される。
【０１５４】
例えば、文字データとしては、データ入出力機能部１０９からの文字データ及び最初の点の座標値が一時記憶部１０８４に記憶される。
【０１５５】
また、音声データとしては、音声入出力機能部１０４のマイクで捕捉された音声データや通信指示部１０８２から受信したＷｅｂデータに含まれる音声データが、一時記憶部１０８４に記憶される。
【０１５６】
さらに、Ｗｅｂサイトのアドレスデータは、Ｗｅｂサイトへのアクセス時に、Ｗｅｂアクセス機能部１０５からのシート部２０ＢのシートＩＤに応じたＷｅｂサイトのアドレス、ＩＤ及びＰＷが暗号化された状態で一時記憶部１０８４に記憶される。なお、一時記憶部１０８４は、電子ペーパ接続機能部１０１を介してシート部２０側から暗号化鍵を読み出し、これを用いて復号処理を行う。
【０１５７】
また、通信指示部１０８２を介して、通信機能部１０３により取得されたデータが一時記憶部１０８４に記憶される。
【０１５８】
上記のように、一時記憶部１０８４には様々なデータが一時的に記憶され、通信指示部１０８２からのＷｅｂデータ、電子ペーパ接続機能部を介して取得したシート部２０Ｂのデータ入出力機能部１０９からの文字データ、動作指示データを参照して、次の動作を決定する。
【０１５９】
例えば、スケジュールデータのフォーム入力の場合、フォーム入力されたデータをＷｅｂ上の指定された場所に送信するために、一時記憶部１０８４は通信指示部１０８２に送信命令と送信データを与える。また、リンクをポイントする場合（例えば、スケジュールデータの入力する月日を選択する場合等）は、そのリンク先のＷｅｂサイトデータを取得するように、一時記憶部１０８４は通信指示部１０８２にリンク先のデータ取得命令とリンク先のアドレスデータを与える。さらに、一時記憶部１０８４に与えられたＷｅｂデータは、電子ペーパ接続機能部１０１に与えられる。電子ペーパ接続機能部１０１を介してシート部２０ＢからＷｅｂデータの再送要求が与えられた場合、一時記憶部１０８４は、再び通信指示部１０８２にアクセス指示を行う。
【０１６０】
ホルダ部１０Ｂの電子ペーパ接続機能部１０１は、接続管理部１０１１で、ホルダ部１０Ｂとシート部２０Ｂとの接続を検出する。接続が確認されたならば、シート部２０Ｂのデータ入出力機能部１０９と接続されるから、その中のメモリ部１０９５に格納されているそのシートＩＤ番号を読み出す。そして、電子ペーパ接続機能部１０１のメモリ部１０１２にシートＩＤ番号を格納し、ホルダ部１０Ｂとシート部２０Ｂの接続関係の情報を保持しておく。そして、ホルダ部１０Ｂのデータ入出力機能部１０８から与えられた表示のためのデータを、対応するシートＩＤを持つシート部２０Ｂのデータ入出力機能部１０９に与える。シート部２０Ｂのデータ入出力機能部１０９からＷｅｂデータの再送要求があれば、その再送要求をホルダ部１０Ｂのデータ入出力機能部１０８に与える。シート部２０Ｂのデータ入出力機能部１０９から与えられた文字データはあるいは動作指示データは、ホルダ部１０Ｂのデータ入出力機能部１０８に与えられる。また、接続が確認されたシート部２０Ｂに対して電源もＳ１０９２を通じて供給する。
【０１６１】
シート部２０Ｂにおけるデータ入出力機能部１０９は、電子ペーパ接続機能部１０１を介して、送られてきたＷｅｂデータを一時記憶部１０９１に蓄積し、１ページ分のデータを得たら表示制御機能部１０７に与える。また、時間を設定しておき、所定時間内に１ページ分のデータがそろわない場合は、再送の要求を電子ペーパ接続機能部１０１に与える。
【０１６２】
データ分離部１０９３は、文字入出力機能部１１０からの軌跡データを受け取り、文字データであるのか、動作指示データであるのかを判別して分離し、文字データを文字認識部１０９４に与え、動作指示データを一時記憶部１０９１に与える。文字認識部１０９４では、軌跡データから文字認識をして文字コードに変換し、その文字コード及び軌跡データの最初の点の座標値を一時記憶部１０９１に与える。その後、電子ペーパ接続機能部１０１を介して、ホルダ部１０Ｂのデータ入出力機能部１０８に与えられる。その後のデータ入出力機能部１０８の動作は、上記の処理を行う。
【０１６３】
（Ｂ−３）第２の実施形態の効果
以上のように、第２の実施形態によれば、第１の実施形態の効果に加えて、シート部が文字入力機能部を一体的に備えることにより、文字入力表示精度を高めることができる。
【０１６４】
（Ｃ）第３の実施形態
次に、本発明の情報表示端末、情報表示シート装置及びホルダ装置の第３の実施形態について図面を参照して説明する。
【０１６５】
（Ｃ−１）第３の実施形態の構成
図１８は、第３の実施形態の電子システム手帳１Ｃのホルダ部１０Ｃ及びシート部２０Ｃの内部構成を示す構成図である。
【０１６６】
図１８において、ホルダ部１０Ｃは、音声入出力機能部１０４、通信機能部１０３、データ入出力機能部１０８、電源機能部１０２、電源供給機能部１０６、電子ペーパ接続機能部１０１を少なくとも有するものである。
【０１６７】
また、シート部２０Ｃは、データ入出力機能部１０９、表示制御機能部１０７、電子ペーパ表示機能部１１１、文字入力機能部１１０、Ｗｅｂアクセス機能部１０５を少なくとも有するものである。
【０１６８】
ホルダ部１０Ｃにおける、音声入出力機能部１０４、通信機能部１０３、データ入出力機能部１０８、電源機能部１０２、電源供給機能部１０６、電子ペーパ接続機能部１０１の機能構成は、第１の実施形態で説明した構成と同じであるので、ここでの詳細な説明は省略する。
【０１６９】
また、シート部２０Ｃにおける、データ入出力機能部１０９、表示制御機能部１０７、電子ペーパ表示機能部１１１、文字入力機能部１１０の機能構成は、第２の実施形態で説明した構成と同じであるので、ここでの詳細な説明は省略する。
【０１７０】
第３の実施形態では、Ｗｅｂアクセス機能部１０５がシート部２０Ｃに設けられている。これにより、各シート部２０において、アクセスできるＷｅｂサイトのアドレスを保持することができる。
【０１７１】
図１９は、ホルダ部１０Ｃ側のデータ入出力機能部１０８の内部構成を示す構成図である。図１９において、第３の実施形態のデータ入出力機能部１０８は、通信指示部１０８２、一時記憶部１０８４、メモリ部１０８５を少なくとも有するものである。
【０１７２】
通信指示部１０８２は、一時記憶部１０８４に接続するものであり、第１の実施形態と同様に、通信機能部１０３に対して通信指示を行うものである。
【０１７３】
一時記憶部１０８４は、Ｓ１０８４−１を通じて音声入出力機能部１０４と接続し、Ｓ１０８４−３を通じて電子ペーパ接続機能部１０１と接続し、メモリ部１０８５と接続するものである。
【０１７４】
メモリ部１０８５は、各シート部２０Ｃの暗号化鍵を保持するものであり、各シート部２０Ｃを用いてＷｅｂサイトにアクセスする際に、対応するシート部２０Ｃの暗号化鍵を一時記憶部１０８４に与えるものである。例えば、メモリ部１０８５は、シートＩＤに対応付けて当該シート部１０Ｃの暗号化鍵を保持する。
【０１７５】
図２０は、シート部２０Ｃ側のデータ入出力機能部１０９の内部構成を示す構成図である。図２０において、第３の実施形態のデータ入出力機能部１０９は、一時記憶部１０９１、メモリ部１０９５、データ分離部１０９３、文字認識部１０９４を少なくとも有するものである。なお、Ｓ１０９２は、電源供給線であり、一時記憶部１０９１には接続されず、シート部２０の各構成要件に接続している。
【０１７６】
一時記憶部１０９１は、Ｓ１０９１−１を通じて電子ペーパ接続機能部１０１と接続し、Ｓ１０９１−２を通じて表示制御機能部１０７と接続し、Ｓ１０９１−３を通じて文字入力機能部１１０と接続し、Ｓ１０９１−４を通じてＷｅｂアクセス機能部１０５に接続されているものである。
【０１７７】
データ分離部１０９３は、文字入力機能部１１０から与えられた入力データを文字データと動作指示データに分離し、文字データを文字認識部１０９４に与え、動作指示データを一時記憶部１０９１に与えるものである。データ分離部１０９３のデータ分離方法は、第１の実施形態と同じように、種々の方法を適用することができる。
【０１７８】
文字認識部１０９４は、データ分離部１０９４からの文字データに基づいて文字認識をし、その認識結果に基づいて文字コード及び軌跡データの最初の点の座標値を一時記憶部１０９１に与えるものである。文字認識部１０９４の文字認識方法は、第１の実施形態と同様に、種々の方法を適用することができる。
【０１７９】
（Ｃ−２）第３の実施形態の動作
図１８を参照して、第３の実施形態の電子ペーパシステム手帳１Ｃにおける処理動作を説明する。
【０１８０】
第３の実施形態では、各シート部２０ＣがＷｅｂアクセス機能部１０５を備えているので、そのことにより接続関係が変化し、ホルダ部１０Ｃのデータ入出力機能部１０８と、電子ペーパ接続機能部１０１と、シート部２０Ｃのデータ入出力機能部１０９の動作が異なる。
【０１８１】
Ｗｅｂサイトへのアクセスの際、Ｗｅｂサイトのアドレスが、各シート部２０Ｃのデータ入出力機能部１０９のＷｅｂアクセス機能部１０５から、電子ペーパ接続機能部１０１を介して、ホルダ部１０Ｃのデータ入出力機能部１０８の一時記憶部１０８４に与えられる。このとき、Ｗｅｂサイトのアドレスは、暗号化された状態である。
【０１８２】
そして、データ入出力機能部１０９において、メモリ部１０８５に記憶されているシート部２０ＣのシートＩＤに対応する暗号化鍵が読み出されて、Ｗｅｂサイトのアドレスは暗号化鍵を用いて復号され、復号されたＷｅｂサイトのアドレスが一時記憶部１０８４に記憶される。なお、必要に応じて、ＩＤ及びＰＷについても、同様に復号されて一時記憶部１０８４に記憶される。
【０１８３】
また、ホルダ部１０Ｃのデータ入出力機能部１０９は、第１の実施形態と同様に、文字データ、音声データ、Ｗｅｂサイトのアドレス（必要に応じてＩＤ及びＰＷも含む）は、一時的に一時記憶部１０８４に記憶される。
【０１８４】
例えば、文字データとしては、データ入出力機能部１０９からの文字データ及び最初の点の座標値が一時記憶部１０８４に記憶される。
【０１８５】
また、音声データとしては、音声入出力機能部１０４のマイクで捕捉された音声データや通信指示部１０８２から受信したＷｅｂデータに含まれる音声データが、一時記憶部１０８４に記憶される。
【０１８６】
また、Ｗｅｂデータとしては、通信指示部１０８２を介して、通信機能部１０３により取得されたデータが一時記憶部１０８４に記憶される。
【０１８７】
上記のように、一時記憶部１０８４には様々なデータが一時的に記憶され、通信指示部１０８２からのＷｅｂデータ、電子ペーパ接続機能部を介して取得したシート部２０Ｃのデータ入出力機能部１０９からの文字データ、動作指示データを参照して、次の動作を決定する。
【０１８８】
例えば、スケジュールデータのフォーム入力の場合、フォーム入力されたデータをＷｅｂ上の指定された場所に送信するために、一時記憶部１０８４は通信指示部１０８２に送信命令と送信データを与える。また、リンクをポイントする場合（例えば、スケジュールデータの入力する月日を選択する場合等）は、そのリンク先のＷｅｂサイトデータを取得するように、一時記憶部１０８４は通信指示部１０８２にリンク先のデータ取得命令とリンク先のアドレスデータを与える。さらに、一時記憶部１０８４に与えられたＷｅｂデータは、電子ペーパ接続機能部１０１に与えられる。電子ペーパ接続機能部１０１を介してシート部２０ＣからＷｅｂデータの再送要求が与えられた場合、一時記憶部１０８４は、再び通信指示部１０８２にアクセス指示を行う。
【０１８９】
ホルダ部１０Ｃの電子ペーパ接続機能部１０１は、接続管理部１０１１で、ホルダ部１０Ｃとシート部２０Ｃとの接続を検出する。接続が確認されたならば、シート部２０Ｃのデータ入出力機能部１０９と接続されるから、その中のメモリ部１０９５に格納されているそのシートＩＤ番号を読み出す。そして、電子ペーパ接続機能部１０１のメモリ部１０１２にシートＩＤ番号を格納し、ホルダ部１０Ｃとシート部２０Ｃの接続関係の情報を保持しておく。そして、ホルダ部１０Ｃのデータ入出力機能部１０８から与えられた表示のためのデータを、対応するシートＩＤを持つシート部２０Ｃのデータ入出力機能部１０９に与える。シート部２０Ｃのデータ入出力機能部１０９からＷｅｂデータの再送要求があれば、その再送要求をホルダ部１０Ｃのデータ入出力機能部１０８に与える。シート部２０ＢＣのデータ入出力機能部１０９から与えられた文字データはあるいは動作指示データは、ホルダ部１０Ｃのデータ入出力機能部１０８に与えられる。また、接続が確認されたシート部２０Ｃに対して電源もＳ１０９２を通じて供給する。
【０１９０】
接続管理部１０１１により接続しているシート部２０ＣのシートＩＤが管理されることにより、メモリ部１０８５に保持される暗号化鍵の読み出しを行うことができる。
【０１９１】
シート部２０ＣにおけるＷｅｂアクセス機能部１０５は、メモリ部１０５１に、Ｗｅｂサイトのアドレスが保持されている。これらは、１枚のシート部２０Ｃに１個のＷｅｂサイトアドレスが対応しており、指定されているアドレス以外にはアクセスできないようになっている。
【０１９２】
第１の実施形態では、Ｗｅｂアクセス機能部１０５が、複数のシート部２０Ａのそれぞれのアクセス先としてのＷｅｂサイトアドレスを保持する必要があったが、第３の実施形態では、各シート部２０ＣがそれぞれＷｅｂアクセス機能部１０５を備えることになるので、自シート部２０Ｃのアクセス先のＷｅｂサイトアドレスのみを保持する。なお、保持する情報項目例については、図７に示す第１の実施形態と同様である。
【０１９３】
シート部２０Ｃにおけるデータ入出力機能部１０９は、電子ペーパ接続機能部１０１を介して、送られてきたＷｅｂデータを一時記憶部１０９１に蓄積し、１ページ分のデータを得たら表示制御機能部１０７に与える。また、時間を設定しておき、所定時間内に１ページ分のデータがそろわない場合は、再送の要求を電子ペーパ接続機能部１０１に与える。
【０１９４】
データ分離部１０９３は、文字入出力機能部１１０からの軌跡データを受け取り、文字データであるのか、動作指示データであるのかを判別して分離し、文字データを文字認識部１０９４に与え、動作指示データを一時記憶部１０９１に与える。文字認識部１０９４では、軌跡データから文字認識をして文字コードに変換し、その文字コード及び軌跡データの最初の点の座標値を一時記憶部１０９１に与える。その後、電子ペーパ接続機能部１０１を介して、ホルダ部１０Ｂのデータ入出力機能部１０８に与えられる。また、Ｗｅｂアクセス機能部１０５からは、各シート部２０のシートＩＤに応じたＷｅｂサイトアドレスが暗号化された状態で一時記憶部１０９１に与えられ、電子ペーパ接続機能部１０１を介して、ホルダ部１０Ｃのデータ入出力機能部１０８に与えられる。その後のデータ入出力機能部１０８の動作は、上記の処理を行う。
【０１９５】
（Ｃ−３）第３の実施形態の効果
以上のように、第３の実施形態によれば、第２の実施形態の効果に加えて、シート部２０がＷｅｂアクセス機能部１０５を備えることにより、自シートのＷｅｂアクセス先をシート毎に保持することになる。その結果、シートを増やしたり、減らしたりということが容易になる。
【０１９６】
また、第３の実施形態によれば、暗号化されているとはいえ、シートだけ盗まれたとしても、そのシートにはそのシートだけの情報しかないので、被害が限定的になる。従って
ホルダが盗まれたとしても、暗号化鍵だけが盗まれることとなるので、やはり被害が限定的になる。このように、情報を分散させることにより、成りすまし等のリスクを軽減させることができ通信セキュリティを向上させることができる。
【０１９７】
（Ｄ）第４の実施形態
以下では、本発明の情報表示端末、情報表示シート装置及びホルダ装置の第４の実施形態について図面を参照して説明する。
【０１９８】
（Ｄ−１）第４の実施形態の構成
図２１は、第４の実施形態の電子システム手帳１Ｄのホルダ部１０Ｄ及びシート部２０Ｄの内部構成を示す構成図である。
【０１９９】
図２１において、ホルダ部１０Ｄは、文字入力機能部１１０、音声入出力機能部１０４、通信機能部１０３、データ入出力機能部１０８、電源機能部１０２、電源供給機能部１０６、電子ペーパ接続機能部１０１を少なくとも有するものである。
【０２００】
また、シート部２０Ｄは、データ入出力機能部１０９、表示制御機能部１０７、電子ペーパ表示機能部１１１、Ｗｅｂアクセス機能部１０５を少なくとも有するものである。
【０２０１】
ホルダ部１０Ｄにおける、音声入出力機能部１０４、通信機能部１０３、データ入出力機能部１０８、電源機能部１０２、電源供給機能部１０６、電子ペーパ接続機能部１０１の機能構成は、第１の実施形態で説明した構成と同じであるので、ここでの詳細な説明は省略する。
【０２０２】
また、シート部２０Ｄにおける、Ｗｅｂアクセス機能部１０５、表示制御機能部１０７、電子ペーパ表示機能部１１１の機能構成は、第３の実施形態で説明した構成と同じであるので、ここでの詳細な説明は省略する。
【０２０３】
第４の実施形態では、第３の実施形態で説明した構成において、文字入力機能部１１０がホルダ部１０Ｄに移された場合の構成を備える。
【０２０４】
図２２は、ホルダ部１０Ｄ側のデータ入出力機能部１０８の内部構成を示す構成図である。図２２において、第４の実施形態のデータ入出力機能部１０８は、データ分離部１０８１、文字認識部１０８３、通信指示部１０８２、一時記憶部１０８４、メモリ部１０８５を少なくとも有するものである。
【０２０５】
通信指示部１０８２は、一時記憶部１０８４に接続するものであり、第１の実施形態と同様に、通信機能部１０３に対して通信指示を行うものである。
【０２０６】
データ分離部１０８１は、文字入力機能部１１０からの入力データに基づいて文字データ及び動作指示データに分離し、文字データを文字認識部１０８３に与え、動作指示データを一時記憶部１０８４に与えるものである。
【０２０７】
文字認識部１０８３は、データ分離部１０８１からの文字データに基づいて文字認識をし、文字コードに変換するものである。また、文字認識部１０８３は、文字コード及び軌跡データの最初の点の座標値を一時記憶部１０８４に与えるものである。
【０２０８】
一時記憶部１０８４は、Ｓ１０８４−１を通じて音声入出力機能部１０４と接続し、Ｓ１０８４−３を通じて電子ペーパ接続機能部１０１と接続し、メモリ部１０８５と接続するものである。また、一時記憶部１０８４は、データ分離部１０８１、文字認識部１０８３、通信指示部１０８２に接続するものである。
【０２０９】
メモリ部１０８５は、各シート部２０Ｄの暗号化鍵を保持するものであり、各シート部２０Ｄを用いてＷｅｂサイトにアクセスする際に、対応するシート部２０Ｄの暗号化鍵を一時記憶部１０８４に与えるものである。例えば、メモリ部１０８５は、シートＩＤに対応付けて当該シート部１０Ｄの暗号化鍵を保持する。
【０２１０】
図２３は、シート部２０Ｄ側のデータ入出力機能部１０９の内部構成を示す構成図である。図２３において、第４の実施形態のデータ入出力機能部１０９は、一時記憶部１０９１を少なくとも有するものである。なお、Ｓ１０９２は、電源供給線であり、一時記憶部１０９１には接続されず、シート部２０の各構成要件に接続している。
【０２１１】
一時記憶部１０９１は、Ｓ１０９１−１を通じて電子ペーパ接続機能部１０１と接続し、Ｓ１０９１−２を通じて表示制御機能部１０７と接続されているものである。
【０２１２】
（Ｄ−２）第４の実施形態の動作
図２１を参照して、第４の実施形態の電子ペーパシステム手帳１Ｄにおける処理動作を説明する。
【０２１３】
第４の実施形態では、文字入力機能部１１０がホルダ部１０Ｄに移っているので、そのことにより接続関係が変化し、ホルダ部１０Ｄのデータ入出力機能部１０８と、シート部２０Ｄのデータ入出力機能部１０９の動作が異なる。
【０２１４】
ホルダ部１０Ｄのデータ入出力機能部１０９は、第１の実施形態と同様に、文字データ、音声データ、Ｗｅｂサイトのアドレス（必要に応じてＩＤ及びＰＷも含む）は、一時的に一時記憶部１０８４に記憶される。
【０２１５】
例えば、文字データとしては、データ入出力機能部１０９からの文字データ及び最初の点の座標値が一時記憶部１０８４に記憶される。
【０２１６】
また、音声データとしては、音声入出力機能部１０４のマイクで捕捉された音声データや通信指示部１０８２から受信したＷｅｂデータに含まれる音声データが、一時記憶部１０８４に記憶される。
【０２１７】
さらに、Ｗｅｂサイトへのアクセスの際には、第３の実施形態で説明したように、シート部２０ＤのＷｅｂアクセス機能部１０５から暗号化された状態のＷｅｂサイトアドレス、ＩＤ及びＰＷが一時記憶部１０８４に記憶されると共に、メモリ部１０８５に保持されている暗号化鍵が読み込まれ、Ｗｅｂサイトのアドレス、ＩＤ及びＰＷが復号される。
【０２１８】
また、Ｗｅｂデータとしては、通信指示部１０８２を介して、通信機能部１０３により取得されたデータが一時記憶部１０８４に記憶される。
【０２１９】
上記のように、一時記憶部１０８４には様々なデータが一時的に記憶され、通信指示部１０８２からのＷｅｂデータ、電子ペーパ接続機能部を介して取得したシート部２０Ｄのデータ入出力機能部１０９からの文字データ、動作指示データを参照して、次の動作を決定する。
【０２２０】
例えば、スケジュールデータのフォーム入力の場合、フォーム入力されたデータをＷｅｂ上の指定された場所に送信するために、一時記憶部１０８４は通信指示部１０８２に送信命令と送信データを与える。また、リンクをポイントする場合（例えば、スケジュールデータの入力する月日を選択する場合等）は、そのリンク先のＷｅｂサイトデータを取得するように、一時記憶部１０８４は通信指示部１０８２にリンク先のデータ取得命令とリンク先のアドレスデータを与える。さらに、一時記憶部１０８４に与えられたＷｅｂデータは、電子ペーパ接続機能部１０１に与えられる。電子ペーパ接続機能部１０１を介してシート部２０ＤからＷｅｂデータの再送要求が与えられた場合、一時記憶部１０８４は、再び通信指示部１０８２にアクセス指示を行う。
【０２２１】
シート部２０Ｄにおけるデータ入出力機能部１０９は、電子ペーパ接続機能部１０１を介して、送られてきたＷｅｂデータを一時記憶部１０９１に蓄積し、１ページ分のデータを得たら表示制御機能部１０７に与える。また、時間を設定しておき、所定時間内に１ページ分のデータがそろわない場合は、再送の要求を電子ペーパ接続機能部１０１に与える。
【０２２２】
（Ｄ−３）第４の実施形態の効果
以上のように、第４の実施形態によれば、第３の実施形態の効果に加えて、ホルダ部が文字入力機能部１１０を備えることにより、第１の実施形態のように、薄くて簡易なシート部を適用することができ、第３の実施形態のように情報漏洩のリスクを少なくすることができる。
【０２２３】
（Ｅ）第５の実施形態
以下では、本発明の情報表示端末、情報表示シート装置及びホルダ装置の第５の実施形態について図面を参照して説明する。
【０２２４】
（Ｅ−１）第５の実施形態の構成
図２４は、第５の実施形態の電子システム手帳１Ｅのホルダ部１０Ｄ及びシート部２０Ｄの内部構成を示す構成図である。
【０２２５】
図２１において、ホルダ部１０Ｅは、文字入力機能部１１０、音声入出力機能部１０４、データ入出力機能部１０８、電源機能部１０２、電源供給機能部１０６、電子ペーパ接続機能部１０１を少なくとも有するものである。
【０２２６】
また、シート部２０Ｅは、データ入出力機能部１０９、表示制御機能部１０７、電子ペーパ表示機能部１１１、Ｗｅｂアクセス機能部１０５、通信機能部１０３を少なくとも有するものである。
【０２２７】
ホルダ部１０Ｅにおける、音声入出力機能部１０４、文字入力機能部１１０、データ入出力機能部１０８、電源機能部１０２、電源供給機能部１０６、電子ペーパ接続機能部１０１の機能構成は、第４の実施形態で説明した構成と同じであるので、ここでの詳細な説明は省略する。
【０２２８】
また、シート部２０Ｅにおける、Ｗｅｂアクセス機能部１０５、表示制御機能部１０７、電子ペーパ表示機能部１１１の機能構成は、第４の実施形態で説明した構成と同じであるので、ここでの詳細な説明は省略する。
【０２２９】
第５の実施形態では、第４の実施形態で説明した構成において、通信機能部１０３がシート部２０Ｅに移された場合の構成を備える。
【０２３０】
このようにシート部２０Ｅが通信機能部１０３を備えることにより、各シート部２０Ｅ毎にネットワーク通信処理ができるので、第４の実施形態よりも、シート部２０Ｅ毎の接続先を変えることができる。
【０２３１】
図２５は、ホルダ部１０Ｅ側のデータ入出力機能部１０８の内部構成を示す構成図である。図２５において、第５の実施形態のデータ入出力機能部１０８は、データ分離部１０８１、文字認識部１０８３、一時記憶部１０８４、メモリ部１０８５を少なくとも有するものである。
【０２３２】
データ分離部１０８１は、文字入力機能部１１０からの入力データに基づいて文字データ及び動作指示データに分離し、文字データを文字認識部１０８３に与え、動作指示データを一時記憶部１０８４に与えるものである。
【０２３３】
文字認識部１０８３は、データ分離部１０８１からの文字データに基づいて文字認識をし、文字コードに変換するものである。また、文字認識部１０８３は、文字コード及び軌跡データの最初の点の座標値を一時記憶部１０８４に与えるものである。
【０２３４】
一時記憶部１０８４は、Ｓ１０８４−１を通じて音声入出力機能部１０４と接続し、Ｓ１０８４−３を通じて電子ペーパ接続機能部１０１と接続し、メモリ部１０８５と接続するものである。また、一時記憶部１０８４は、データ分離部１０８１、文字認識部１０８３、通信指示部１０８２に接続するものである。
【０２３５】
メモリ部１０８５は、各シート部２０Ｅの暗号化鍵を保持するものであり、各シート部２０Ｅを用いてＷｅｂサイトにアクセスする際に、対応するシート部２０Ｅの暗号化鍵を一時記憶部１０８４に与えるものである。例えば、メモリ部１０８５は、シートＩＤに対応付けて当該シート部１０Ｅの暗号化鍵を保持する。
【０２３６】
図２６は、シート部２０Ｅ側のデータ入出力機能部１０９の内部構成を示す構成図である。図２６において、第５の実施形態のデータ入出力機能部１０９は、一時記憶部１０９１、通信指示部１０９２を少なくとも有するものである。なお、Ｓ１０９２は、電源供給線であり、一時記憶部１０９１には接続されず、シート部２０Ｅの各構成要件に接続している。
【０２３７】
一時記憶部１０９１は、Ｓ１０９１−１を通じて電子ペーパ接続機能部１０１と接続し、Ｓ１０９１−２を通じて表示制御機能部１０７と接続されているものである。
【０２３８】
また、一時記憶部１０９１は、Ｗｅｂサイトへのアクセスの際、Ｓ１０９１−１を通じて電子ペーパ接続機能部１０１を介して、ホルダ部１０Ｅのデータ入出力機能部１０８から暗号化鍵を読み出すと共に、Ｗｅｂアクセス機能部１０５からの暗号化状態のＷｅｂサイトのアドレス、ＩＤ及びＰＷを受け取り、Ｗｅｂサイトのアドレス、ＩＤ及びＰＷを復号するものである。
【０２３９】
通信指示部１０９２は、一時記憶部１０９１に保持される復号されたＷｅｂサイトのアドレス、ＩＤ及びＰＷを受け取り、通信機能部１０３に対して通信指示を行うものである。
【０２４０】
（Ｅ−２）第５の実施形態の動作
図２４を参照して、第５の実施形態の電子ペーパシステム手帳１Ｅにおける処理動作を説明する。
【０２４１】
第５の実施形態では、通信機能部１０３がシート部２０Ｅに移っているので、そのことにより接続関係が変化し、ホルダ部１０Ｅのデータ入出力機能部１０８と、シート部２０Ｅのデータ入出力機能部１０９の動作が異なる。
【０２４２】
ホルダ部１０Ｅのデータ入出力機能部１０９では、文字データ、音声データは、一時的に一時記憶部１０８４に記憶される。また、一時記憶部１０８４に記憶される各種データは、電子ペーパ接続機能部１０１を介して、シート部２０Ｅのデータ入出力機能部１０９に与えられる。
【０２４３】
例えば、文字データとしては、データ入出力機能部１０９からの文字データ及び最初の点の座標値が一時記憶部１０８４に記憶される。
【０２４４】
また、音声データとしては、音声入出力機能部１０４のマイクで捕捉された音声データが、一時記憶部１０８４に記憶される。
【０２４５】
シート部２０Ｅにおけるデータ入出力機能部１０９は、電子ペーパ接続機能部１０１を介して、ホルダ部１０Ｅから送られてきた各種データを一時的に記憶する。
【０２４６】
また、シート部２０Ｅのデータ入出力機能部１０９は、Ｗｅｂサイトへのアクセスの際、ペーパ接続機能部１０１を介して、ホルダ部１０Ｅのデータ入出力機能部１０８から当該シート部２０Ｅの暗号化鍵を読み出すと共に、Ｗｅｂアクセス機能部１０５から暗号化状態のＷｅｂサイトのアドレス、ＩＤ及びＰＷを取得し、一時記憶部１０９１により、暗号化鍵を用いてＷｅｂサイトのアドレス、ＩＤ及びＰＷが復号され、一時的に記憶される。
【０２４７】
そして、復号されたＷｅｂサイトのアドレス、ＩＤ及びＰＷが、通信機能部１０３に与えられ、通信機能部１０３によりＷｅｂアクセス機能部１０５により指定されたＷｅｂ上のデータが取得される。また、その取得されたＷｅｂデータが、シート部２０Ｅのデータ入出力機能部１０９の一時記憶部１０９１に記憶される。
【０２４８】
データ入出力機能部１０９の一時記憶部１０９１では、ホルダ部１０Ｅから取得した文字データ（文字コード及び動作指示データ）と、通信機能部１０３から取得したＷｅｂデータとに基づいて、次の動作を決定する。
【０２４９】
例えば、スケジュールデータのフォーム入力の場合、フォーム入力されたデータをＷｅｂ上の指定された場所に送信するために、一時記憶部１０９１は通信指示部１０９２に送信命令と送信データを与える。また、リンクをポイントする場合（例えば、スケジュールデータの入力する月日を選択する場合等）は、そのリンク先のＷｅｂサイトデータを取得するように、一時記憶部１０９１は通信指示部１０９２にリンク先のデータ取得命令とリンク先のアドレスデータを与える。
【０２５０】
シート部２０Ｅのデータ入出力機能部１０９は、電子ペーパ接続機能部１０１を介して、送られてきたＷｅｂデータを一時記憶部１０９１に蓄積し、１ページ分のデータを得たら表示制御機能部１０７に与える。また、時間を設定しておき、所定時間内に１ページ分のデータがそろわない場合は、一時記憶部１０９１が通信指示部１０９２に対して再送の要求をする。
【０２５１】
（Ｅ−３）第５の実施形態の効果
以上のように、第５の実施形態によれば、第４の実施形態の効果に加えて、シート部が通信機能部１０３を備えることにより、それぞれシート部が接続先を変えることも可能になる。例えば、スケジュールのシートは、会社のネットワークに接続して、スケジュールのサーバから情報をダウンロードし、ニュースを表示するシートは、公衆のネットワークに接続して、ニュース情報をダウンロードするなど、情報毎に接続先を限定して、よりセキュリティを向上できる。
【０２５２】
（Ｆ）第６の実施形態
以下では、本発明の情報表示端末、情報表示シート装置及びホルダ装置の第６の実施形態について図面を参照して説明する。
【０２５３】
（Ｆ−１）第６の実施形態の構成
図２７は、第６の実施形態の電子システム手帳１Ｆのホルダ部１０Ｆ及びシート部２０Ｆの内部構成を示す構成図である。
【０２５４】
図２７において、ホルダ部１０Ｆは、音声入出力機能部１０４、データ入出力機能部１０８、電源機能部１０２、電源供給機能部１０６、電子ペーパ接続機能部１０１を少なくとも有するものである。
【０２５５】
また、シート部２０Ｆは、データ入出力機能部１０９、表示制御機能部１０７、電子ペーパ表示機能部１１１、文字入力機能部１１０、Ｗｅｂアクセス機能部１０５、通信機能部１０３を少なくとも有するものである。
【０２５６】
ホルダ部１０Ｆにおける、音声入出力機能部１０４、データ入出力機能部１０８、電源機能部１０２、電源供給機能部１０６、電子ペーパ接続機能部１０１の機能構成は、第１の実施形態で説明した構成と同じであるので、ここでの詳細な説明は省略する。
【０２５７】
また、シート部２０Ｆにおける、表示制御機能部１０７、電子ペーパ表示機能部１１１の機能構成は、第１の実施形態で説明した構成と同じであるので、ここでの詳細な説明は省略する。
【０２５８】
さらに、シート部２０ＦのＷｅｂアクセス機能部１０５は第３の実施形態の構成、シート部２０Ｆの通信機能部１０３は第５の実施形態の構成と同じであるので、ここでの詳細な説明は省略する。
【０２５９】
第６の実施形態では、第５の実施形態で説明した構成において、文字入力機能部１１０がシート部２０Ｆに移された場合の構成を備える。
【０２６０】
図２８は、ホルダ部１０Ｆ側のデータ入出力機能部１０８の内部構成を示す構成図である。図２８において、第６の実施形態のデータ入出力機能部１０８は、一時記憶部１０８４、メモリ部１０８５を少なくとも有するものである。
【０２６１】
一時記憶部１０８４は、Ｓ１０８４−１を通じて音声入出力機能部１０４と接続し、Ｓ１０８４−３を通じて電子ペーパ接続機能部１０１と接続し、メモリ部１０８５と接続するものである。
【０２６２】
メモリ部１０８５は、各シート部２０Ｆの暗号化鍵を保持するものであり、各シート部２０Ｆを用いてＷｅｂサイトにアクセスする際に、対応するシート部２０Ｆの暗号化鍵を一時記憶部１０８４に与えるものである。例えば、メモリ部１０８５は、シートＩＤに対応付けて当該シート部１０Ｆの暗号化鍵を保持する。
【０２６３】
図２９は、シート部２０Ｆ側のデータ入出力機能部１０９の内部構成を示す構成図である。図２９において、第６の実施形態のデータ入出力機能部１０９は、一時記憶部１０９１、通信指示部１０９２、データ分離部１０９３、文字認識部１０９４を少なくとも有するものである。なお、Ｓ１０９２は、電源供給線であり、一時記憶部１０９１には接続されず、シート部２０Ｅの各構成要件に接続している。
【０２６４】
一時記憶部１０９１は、Ｓ１０９１−１を通じて電子ペーパ接続機能部１０１と接続し、Ｓ１０９１−２を通じて表示制御機能部１０７と接続されているものである。
【０２６５】
また、一時記憶部１０９１は、Ｗｅｂサイトへのアクセスの際、Ｓ１０９１−１を通じて電子ペーパ接続機能部１０１を介して、ホルダ部１０Ｅのデータ入出力機能部１０８から暗号化鍵を読み出すと共に、Ｗｅｂアクセス機能部１０５からの暗号化状態のＷｅｂサイトのアドレス、ＩＤ及びＰＷを受け取り、Ｗｅｂサイトのアドレス、ＩＤ及びＰＷを復号するものである。
【０２６６】
通信指示部１０９２は、一時記憶部１０９１に保持される復号されたＷｅｂサイトのアドレス、ＩＤ及びＰＷを受け取り、通信機能部１０３に対して通信指示を行うものである。
【０２６７】
データ分離部１０９３は、文字入力機能部１１０からの入力データに基づいて文字データ及び動作指示データに分離し、文字データを文字認識部１０９４に与え、動作指示データを一時記憶部１０９１に与えるものである。
【０２６８】
文字認識部１０９４は、データ分離部１０９３からの文字データに基づいて文字認識をし、文字コードに変換するものである。また、文字認識部１０９４は、文字コード及び軌跡データの最初の点の座標値を一時記憶部１０９１に与えるものである。
【０２６９】
（Ｆ−２）第６の実施形態の動作
図２７を参照して、第６の実施形態の電子ペーパシステム手帳１Ｆにおける処理動作を説明する。
【０２７０】
第６の実施形態では、文字入力機能部１１０がシート部２０Ｆに移っているので、そのことにより接続関係が変化し、ホルダ部１０Ｆのデータ入出力機能部１０８と、シート部２０Ｆのデータ入出力機能部１０９の動作が異なる。
【０２７１】
ホルダ部１０Ｆのデータ入出力機能部１０９では、音声データが、一時的に一時記憶部１０８４に記憶される。また、一時記憶部１０８４に記憶される音声データは、電子ペーパ接続機能部１０１を介して、シート部２０Ｆのデータ入出力機能部１０９に与えられる。
【０２７２】
例えば、音声データとしては、音声入出力機能部１０４のマイクで捕捉された音声データが一時記憶部１０８４に記憶される。
【０２７３】
シート部２０Ｆにおけるデータ入出力機能部１０９は、電子ペーパ接続機能部１０１を介して、ホルダ部１０Ｆから送られてきた音声データを一時的に記憶する。
【０２７４】
また、シート部２０Ｆのデータ入出力機能部１０９は、Ｗｅｂサイトへのアクセスの際、ペーパ接続機能部１０１を介して、ホルダ部１０Ｆのデータ入出力機能部１０８から当該シート部２０Ｆの暗号化鍵を読み出すと共に、Ｗｅｂアクセス機能部１０５から暗号化状態のＷｅｂサイトのアドレス、ＩＤ及びＰＷを取得し、一時記憶部１０９１により、暗号化鍵を用いてＷｅｂサイトのアドレス、ＩＤ及びＰＷが復号され、一時的に記憶される。
【０２７５】
そして、復号されたＷｅｂサイトのアドレス、ＩＤ及びＰＷが、通信機能部１０３に与えられ、通信機能部１０３によりＷｅｂアクセス機能部１０５により指定されたＷｅｂ上のデータが取得される。また、その取得されたＷｅｂデータが、シート部２０Ｅのデータ入出力機能部１０９の一時記憶部１０９１に記憶される。
【０２７６】
さらに、シート部２０Ｆのデータ入出力機能部１０９では、文字データが一時記憶部１０９１に記憶される。
【０２７７】
データ入出力機能部１０９の一時記憶部１０９１では、文字入力機能部１１０から文字データ（文字コード及び動作指示データ）と、通信機能部１０３から取得したＷｅｂデータとに基づいて、次の動作を決定する。
【０２７８】
例えば、スケジュールデータのフォーム入力の場合、フォーム入力されたデータをＷｅｂ上の指定された場所に送信するために、一時記憶部１０９１は通信指示部１０９２に送信命令と送信データを与える。また、リンクをポイントする場合（例えば、スケジュールデータの入力する月日を選択する場合等）は、そのリンク先のＷｅｂサイトデータを取得するように、一時記憶部１０９１は通信指示部１０９２にリンク先のデータ取得命令とリンク先のアドレスデータを与える。
【０２７９】
シート部２０Ｆのデータ入出力機能部１０９は、電子ペーパ接続機能部１０１を介して、送られてきたＷｅｂデータを一時記憶部１０９１に蓄積し、１ページ分のデータを得たら表示制御機能部１０７に与える。また、時間を設定しておき、所定時間内に１ページ分のデータがそろわない場合は、一時記憶部１０９１が通信指示部１０９２に対して再送の要求をする。
【０２８０】
（Ｆ−３）第６の実施形態の効果
以上のように、第６の実施形態によれば、第５の実施形態の効果に加えて、シート部が文字入力機能部１１０を備えることにより、文字入力・表示機能の精度を上げることができる。
【０２８１】
（Ｇ）第７の実施形態
以下では、本発明の情報表示端末、情報表示シート装置及びホルダ装置の第７の実施形態について図面を参照して説明する。
【０２８２】
（Ｇ−１）第７の実施形態の構成
図３０は、第７の実施形態の電子システム手帳１Ｇのホルダ部１０Ｇ及びシート部２０Ｇの内部構成を示す構成図である。
【０２８３】
図３０において、ホルダ部１０Ｇは、データ入出力機能部１０８、電源機能部１０２、電源供給機能部１０６、電子ペーパ接続機能部１０１を少なくとも有するものである。
【０２８４】
また、シート部２０Ｇは、データ入出力機能部１０９、表示制御機能部１０７、電子ペーパ表示機能部１１１、文字入力機能部１１０、Ｗｅｂアクセス機能部１０５、通信機能部１０３、音声入出力機能部１０４を少なくとも有するものである。
【０２８５】
ホルダ部１０Ｇにおける、データ入出力機能部１０８、電源機能部１０２、電源供給機能部１０６、電子ペーパ接続機能部１０１の機能構成は、第１の実施形態で説明した構成と同じであるので、ここでの詳細な説明は省略する。
【０２８６】
また、シート部２０Ｇにおける、表示制御機能部１０７、電子ペーパ表示機能部１１１の機能構成は、第１の実施形態で説明した構成と同じであるので、ここでの詳細な説明は省略する。
【０２８７】
さらに、シート部２０ＧのＷｅｂアクセス機能部１０５は第３の実施形態の構成、シート部２０Ｇの通信機能部１０３は第５の実施形態の構成、シート部２０Ｇの文字入力機能部１１０は第６の実施形態の構成と同じであるので、ここでの詳細な説明は省略する。
【０２８８】
第７の実施形態では、第６の実施形態で説明した構成において、音声入出力機能部１０４がシート部２０Ｇに移された場合の構成を備える。
【０２８９】
複数のシート部２０Ｇのうち、あるシート部２０ＧがＩＰ電話機能を有するシートとして適用することができる。例えば、あるシート部２０Ｇを用いて電話帳及びＩＰ電話機能を提供するＷｅｂサイトに接続する。そして、そのシート部２０Ｇの表示部分に、電話帳及びＩＰ電話機能を実行する表示画面が表示される。その後、利用者により電話帳に設定されている登録情報を選択することにより、当該シート部２０ＧがＩＰ電話機能として機能するシートとして用いることができる。また、音声入出力機能部１０４を備えるシート部２０Ｇは、マイク及びスピーカを備える。
【０２９０】
図３１は、ホルダ部１０Ｇ側のデータ入出力機能部１０８の内部構成を示す構成図である。図３１において、第７の実施形態のデータ入出力機能部１０８は、一時記憶部１０８４、メモリ部１０８５を少なくとも有するものである。
【０２９１】
一時記憶部１０８４は、Ｓ１０８４−３を通じて電子ペーパ接続機能部１０１と接続し、メモリ部１０８５と接続するものである。
【０２９２】
メモリ部１０８５は、各シート部２０Ｇの暗号化鍵を保持するものであり、各シート部２０Ｇを用いてＷｅｂサイトにアクセスする際に、対応するシート部２０Ｇの暗号化鍵を一時記憶部１０８４に与えるものである。例えば、メモリ部１０８５は、シートＩＤに対応付けて当該シート部１０Ｇの暗号化鍵を保持する。
【０２９３】
図３２は、シート部２０Ｇ側のデータ入出力機能部１０９の内部構成を示す構成図である。図３２において、第７の実施形態のデータ入出力機能部１０９は、一時記憶部１０９１、通信指示部１０９２、データ分離部１０９３、文字認識部１０９４を少なくとも有するものである。なお、Ｓ１０９２は、電源供給線であり、一時記憶部１０９１には接続されず、シート部２０Ｅの各構成要件に接続している。
【０２９４】
一時記憶部１０９１は、Ｓ１０９１−１を通じて電子ペーパ接続機能部１０１と接続し、Ｓ１０９１−２を通じて表示制御機能部１０７と接続し、Ｓ１０９１−３を通じて音声入出力機能部１０４と接続されているものである。
【０２９５】
また、一時記憶部１０９１は、Ｗｅｂサイトへのアクセスの際、Ｓ１０９１−１を通じて電子ペーパ接続機能部１０１を介して、ホルダ部１０Ｅのデータ入出力機能部１０８から暗号化鍵を読み出すと共に、Ｗｅｂアクセス機能部１０５からの暗号化状態のＷｅｂサイトのアドレス、ＩＤ及びＰＷを受け取り、Ｗｅｂサイトのアドレス、ＩＤ及びＰＷを復号するものである。
【０２９６】
通信指示部１０９２は、一時記憶部１０９１に保持される復号されたＷｅｂサイトのアドレス、ＩＤ及びＰＷを受け取り、通信機能部１０３に対して通信指示を行うものである。
【０２９７】
データ分離部１０９３は、文字入力機能部１１０からの入力データに基づいて文字データ及び動作指示データに分離し、文字データを文字認識部１０９４に与え、動作指示データを一時記憶部１０９１に与えるものである。
【０２９８】
文字認識部１０９４は、データ分離部１０９３からの文字データに基づいて文字認識をし、文字コードに変換するものである。また、文字認識部１０９４は、文字コード及び軌跡データの最初の点の座標値を一時記憶部１０９１に与えるものである。
【０２９９】
（Ｇ−２）第７の実施形態の動作
図３０を参照して、第７の実施形態の電子ペーパシステム手帳１Ｇにおける処理動作を説明する。
【０３００】
第７の実施形態では、音声入出力機能部１０４がシート部２０Ｇに移っているので、そのことにより接続関係が変化し、ホルダ部１０Ｇのデータ入出力機能部１０８と、シート部２０Ｇのデータ入出力機能部１０９の動作が異なる。
【０３０１】
ホルダ部１０Ｇのデータ入出力機能部１０９では、Ｗｅｂサイトへのアクセスの際に、メモリ部１０８５に保持されているシート部２０Ｇの暗号化鍵が読み出され、電子ペーパ接続機能部１０１を介して、シート部２０Ｆのデータ入出力機能部１０９に与えられる。
【０３０２】
シート部２０Ｇのデータ入出力機能部１０９では、文字入力機能部１１０からの文字データ、音声入出力機能部１０４からの音声データが一時記憶部１０９１に記憶される。
【０３０３】
また、シート部２０Ｆのデータ入出力機能部１０９は、Ｗｅｂサイトへのアクセスの際、電子ペーパ接続機能部１０１を介して、ホルダ部１０Ｆのデータ入出力機能部１０８から当該シート部２０Ｆの暗号化鍵を読み出すと共に、Ｗｅｂアクセス機能部１０５から暗号化状態のＷｅｂサイトのアドレス、ＩＤ及びＰＷを取得し、一時記憶部１０９１により、暗号化鍵を用いてＷｅｂサイトのアドレス、ＩＤ及びＰＷが復号され、一時的に記憶される。
【０３０４】
そして、復号されたＷｅｂサイトのアドレス、ＩＤ及びＰＷが、通信機能部１０３に与えられ、通信機能部１０３によりＷｅｂアクセス機能部１０５により指定されたＷｅｂ上のデータが取得される。また、その取得されたＷｅｂデータが、シート部２０Ｅのデータ入出力機能部１０９の一時記憶部１０９１に記憶される。
【０３０５】
データ入出力機能部１０９の一時記憶部１０９１では、文字入力機能部１１０から文字データ（文字コード及び動作指示データ）と、通信機能部１０３から取得したＷｅｂデータとに基づいて、次の動作を決定する。
【０３０６】
例えば、スケジュールデータのフォーム入力の場合、フォーム入力されたデータをＷｅｂ上の指定された場所に送信するために、一時記憶部１０９１は通信指示部１０９２に送信命令と送信データを与える。また、リンクをポイントする場合（例えば、スケジュールデータの入力する月日を選択する場合等）は、そのリンク先のＷｅｂサイトデータを取得するように、一時記憶部１０９１は通信指示部１０９２にリンク先のデータ取得命令とリンク先のアドレスデータを与える。
【０３０７】
シート部２０Ｆのデータ入出力機能部１０９は、電子ペーパ接続機能部１０１を介して、送られてきたＷｅｂデータを一時記憶部１０９１に蓄積し、１ページ分のデータを得たら表示制御機能部１０７に与える。また、時間を設定しておき、所定時間内に１ページ分のデータがそろわない場合は、一時記憶部１０９１が通信指示部１０９２に対して再送の要求をする。
【０３０８】
（Ｇ−３）第７の実施形態の効果
以上のように、第７の実施形態によれば、第６の実施形態の効果に加えて、音声入出力機能部１０４をシート部に移すことにより、音声入出力機能を備えるシート部を作成することができる。その結果、他のシート部又はホルダ部に、音声入出力機能部を省略することができるので、音声入出力機能を搭載させつつも、簡単な構成の電子ペーパシステム手帳を提供することができる。
【０３０９】
（Ｈ）第８の実施形態
以下では、本発明の情報表示端末、情報表示シート装置及びホルダ装置の第８の実施形態について図面を参照して説明する。
【０３１０】
（Ｈ−１）第８の実施形態の構成
図３３は、第８の実施形態の電子システム手帳１Ｈのホルダ部１０Ｈ及びシート部２０Ｈの内部構成を示す構成図である。
【０３１１】
図３３において、ホルダ部１０Ｈは、データ入出力機能部１０８、電源機能部１０２、電子ペーパ接続機能部１０１を少なくとも有するものである。
【０３１２】
また、シート部２０Ｈは、データ入出力機能部１０９、表示制御機能部１０７、電子ペーパ表示機能部１１１、文字入力機能部１１０、Ｗｅｂアクセス機能部１０５、通信機能部１０３、音声入出力機能部１０４、電源機能部１１２を少なくとも有するものである。
【０３１３】
ホルダ部１０Ｈにおける、データ入出力機能部１０８、電源機能部１０２、電子ペーパ接続機能部１０１の機能構成は、第１の実施形態で説明した構成と同じであるので、ここでの詳細な説明は省略する。
【０３１４】
また、シート部２０Ｈにおける、表示制御機能部１０７、電子ペーパ表示機能部１１１の機能構成は、第１の実施形態で説明した構成と同じであるので、ここでの詳細な説明は省略する。
【０３１５】
さらに、シート部２０ＨのＷｅｂアクセス機能部１０５は第３の実施形態の構成、シート部２０Ｈの通信機能部１０３は第５の実施形態の構成、シート部２０Ｈの文字入力機能部１１０は第６の実施形態の構成、シート部１０Ｈの音声入出力機能部１０４は第７の実施形態の構成と同じであるので、ここでの詳細な説明は省略する。
【０３１６】
第８の実施形態では、第７の実施形態と異なる点は、ホルダ部１０Ｈとシート部２０Ｈとがそれぞれ独立の電源機能部１０２及び電源機能部１１２を備える。これにより、第８の実施形態のホルダ部１０Ｈは、電源供給機能部を備える必要がない。その結果、複雑な電源管理を回避することができる。
【０３１７】
また、ホルダ部１０Ｈが電源供給機能部を備えないようにすることで、電子ペーパ接続機能部１０１の構成及びシート部２０Ｈのデータ入出力機能部１０９の構成が第７の実施形態と異なる。
【０３１８】
図３４は、電子ペーパ接続機能部１０１の内部構成示す構成図である。図３４において、第８の実施形態の電子ペーパ接続機能部１０１は、接続管理部１０１１を少なくとも有する。
【０３１９】
接続管理部１０１１は、第１の実施形態と同様に、差し込まれるシート部２０との接続管理を行うものであり、Ｓ１０１１−１を通じてホルダ部１０Ｈのデータ入出力機能部１０８と接続し、Ｓ１０１１−２を通じてシート部２０Ｈのデータ入出力機能部１０９と接続する。
【０３２０】
図３５は、シート部２０Ｈ側のデータ入出力機能部１０９の内部構成を示す構成図である。図３５において、第８の実施形態のデータ入出力機能部１０９は、一時記憶部１０９１、通信指示部１０９２、データ分離部１０９３、文字認識部１０９４を少なくとも有するものである。
【０３２１】
図３５に示すように、第８の実施形態のデータ入出力機能部１０９は、電源供給線であるＳ１０９２を備えない。
【０３２２】
（Ｈ−２）第８の実施形態の効果
以上のように、第８の実施形態によれば、第７の実施形態の効果に加えて、ホルダ部及びシート部がそれぞれ独立の電源機能部を備えることにより、電源供給機能部を備える必要がなく、シートの着脱に応じた複雑な電源管理が不要となる。また、暗号化鍵をホルダ部に持たなければ、シート部毎に独立した処理を実現できる。
【０３２３】
（Ｉ）第９の実施形態
以下では、本発明の情報表示端末、情報表示シート装置及びホルダ装置の第９の実施形態について図面を参照して説明する。
【０３２４】
（Ｉ−１）第９の実施形態の構成
図３６は、第９の実施形態の電子システム手帳１Ｉのホルダ部１０Ｉ及びシート部２０Ｉの内部構成を示す構成図である。
【０３２５】
図３６において、ホルダ部１０Ｉは、データ入出力機能部１０８、音声入出力機能部１０４、電源機能部１０２、電子ペーパ接続機能部１０１を少なくとも有するものである。
【０３２６】
また、シート部２０Ｉは、データ入出力機能部１０９、表示制御機能部１０７、電子ペーパ表示機能部１１１、文字入力機能部１１０、Ｗｅｂアクセス機能部１０５、通信機能部１０３、電源機能部１１２を少なくとも有するものである。
【０３２７】
ホルダ部１０Ｉにおける、データ入出力機能部１０８、電源機能部１０２、電子ペーパ接続機能部１０１の機能構成は、第１の実施形態で説明した構成と同じであるので、ここでの詳細な説明は省略する。
【０３２８】
また、シート部２０Ｉにおける、表示制御機能部１０７、電子ペーパ表示機能部１１１、音声入出力機能部１０４の機能構成は、第１の実施形態で説明した構成と同じであるので、ここでの詳細な説明は省略する。
【０３２９】
さらに、シート部２０ＩのＷｅｂアクセス機能部１０５は第３の実施形態の構成、シート部２０Ｉの通信機能部１０３は第５の実施形態の構成、シート部２０Ｉの文字入力機能部１１０は第６の実施形態の構成は第７の実施形態の構成と同じであるので、ここでの詳細な説明は省略する。
【０３３０】
また、ホルダ部１０Ｉ及びシート部２０Ｉは、第８の実施形態で示したように、それぞれ独立した電源機能部１０２及び電源機能部１１２を備える。
【０３３１】
第９の実施形態は、第８の実施形態の構成において、音声入出力機能部１０４がホルダ部１０Ｉに移された場合の構成を示す。
【０３３２】
図３７は、第９の実施形態のシート部２０Ｉ側のデータ入出力機能部１０９の内部構成を示す構成図である。図３７において、第９の実施形態のデータ入出力機能部１０９は、一時記憶部１０９１、通信指示部１０９２、データ分離部１０９３、文字認識部１０９４を少なくとも有する。
【０３３３】
一時記憶部１０９１は、Ｓ１０９１−１を通じて電子ペーパ接続機能部１０１と接続し、Ｓ１０９１−２を通じて表示生後機能部１０７と接続し、Ｓ１０９１−４を通じてＷｅｂアクセス機能部１０５と接続し、通信指示部１０９２、データ分離部１０９３、文字認識部１０９４と接続している。
【０３３４】
また、一時記憶部１０９１は、Ｗｅｂサイトへのアクセスの際、Ｓ１０９１−１を通じて電子ペーパ接続機能部１０１を介して、ホルダ部１０Ｉのデータ入出力機能部１０８から暗号化鍵を読み出すと共に、Ｗｅｂアクセス機能部１０５からの暗号化状態のＷｅｂサイトのアドレス、ＩＤ及びＰＷを受け取り、Ｗｅｂサイトのアドレス、ＩＤ及びＰＷを復号するものである。
【０３３５】
通信指示部１０９２は、一時記憶部１０９１に保持される復号されたＷｅｂサイトのアドレス、ＩＤ及びＰＷを受け取り、通信機能部１０３に対して通信指示を行うものである。
【０３３６】
データ分離部１０９３は、文字入力機能部１１０からの入力データに基づいて文字データ及び動作指示データに分離し、文字データを文字認識部１０９４に与え、動作指示データを一時記憶部１０９１に与えるものである。
【０３３７】
文字認識部１０９４は、データ分離部１０９３からの文字データに基づいて文字認識をし、文字コードに変換するものである。また、文字認識部１０９４は、文字コード及び軌跡データの最初の点の座標値を一時記憶部１０９１に与えるものである。
【０３３８】
（Ｉ−２）第９の実施形態の効果
以上のように、第９の実施形態によれば、第８の実施形態の効果に加えて、音声入出力機能部１０４をホルダ部に移したことにより、シート部にマイクやスピーカがなくなるので、薄く作ることができる。また、他の機能に比べて、使用頻度の低い音声入出力機能部１０４をホルダ部に備えることで、シート部２０の電源の使用時間をのばすことができる。
【０３３９】
（Ｊ）他の実施形態
第１〜第９の実施形態では、通信機能部１０３、文字入力機能部１１０、音声入力機能部１０４、Ｗｅｂアクセス機能部１０５について、様々な組み合わせで、ホルダ部１０及びシート部に設けられる場合を例示して説明した。しかし、これら機能部の組み合わせに限定されるものではなく、その他の組み合わせで、ホルダ部１０及びシート部２０に設けるようにしてもよい。
【図面の簡単な説明】
【０３４０】
【図１】第１の実施形態の電子ペーパシステム手帳の外観斜視図である。
【図２】第１の実施形態のホルダ部及びシート部の内部構成図である。
【図３】第１の実施形態の電源供給機能部の内部構成図である。
【図４】第１の実施形態の電子ペーパ接続機能部の内部構成図である。
【図５】第１の実施形態の音声入出力機能部の内部構成図である。
【図６】第１の実施形態のＷｅｂアクセス機能部の内部構成図である。
【図７】第１の実施形態のメモリ部１０５１に保持される情報例を示す説明図である。
【図８】第１の実施形態の通信機能部の内部構成図である。
【図９】第１の実施形態のホルダ部側のデータ入出力機能部の内部構成図である。
【図１０】第１の実施形態のシート部側のデータ入出力機能部の内部構成図である。
【図１１】第１の実施形態の表示制御機能部の内部構成図である。
【図１２】第１の実施形態の電子ペーパ表示機能部の内部構成図である。
【図１３】第１の実施形態の各シート部のＷｅｂサイトアドレスの登録処理を示すフローチャートである。
【図１４】第１の実施形態のＷｅｂサイトへのアクセス処理を示すフローチャートである。
【図１５】第２の実施形態のホルダ部及びシート部の内部構成図である。
【図１６】第２の実施形態のホルダ部側のデータ入出力機能部の内部構成図である。
【図１７】第２の実施形態のシート部側のデータ入出力機能部の内部構成図である。
【図１８】第３の実施形態のホルダ部及びシート部の内部構成図である。
【図１９】第３の実施形態のホルダ部側のデータ入出力機能部の内部構成図である。
【図２０】第３の実施形態のシート部側のデータ入出力機能部の内部構成図である。
【図２１】第４の実施形態のホルダ部及びシート部の内部構成図である。
【図２２】第４の実施形態のホルダ部側のデータ入出力機能部の内部構成図である。
【図２３】第４の実施形態のシート部側のデータ入出力機能部の内部構成図である。
【図２４】第５の実施形態のホルダ部及びシート部の内部構成図である。
【図２５】第５の実施形態のホルダ部側のデータ入出力機能部の内部構成図である。
【図２６】第５の実施形態のシート部側のデータ入出力機能部の内部構成図である。
【図２７】第６の実施形態のホルダ部及びシート部の内部構成図である。
【図２８】第６の実施形態のホルダ部側のデータ入出力機能部の内部構成図である。
【図２９】第６の実施形態のシート部側のデータ入出力機能部の内部構成図である。
【図３０】第７の実施形態のホルダ部及びシート部の内部構成図である。
【図３１】第７の実施形態のホルダ部側のデータ入出力機能部の内部構成図である。
【図３２】第７の実施形態のシート部側のデータ入出力機能部の内部構成図である。
【図３３】第８の実施形態のホルダ部及びシート部の内部構成図である。
【図３４】第８の実施形態の電子ペーパ接続機能部の内部構成図である。
【図３５】第８の実施形態のシート部側のデータ入出力機能部の内部構成図である。
【図３６】第９の実施形態のホルダ部及びシート部の内部構成図である。
【図３７】第９の実施形態のシート部側のデータ入出力機能部の内部構成図である。
【符号の説明】
【０３４１】
１…電子ペーパシステム手帳、１０、１０Ａ〜１０Ｉ…ホルダ部、２０、２０Ａ〜２０Ｉ…シート部、１０１…電子ペーパ接続機能部、１０２…電源機能部、１０３…通信機能部、１０４…音声入出力機能部、１０５…Ｗｅｂアクセス機能部、１０６…電源供給機能部、１０７…表示制御機能部、１０８…データ入出力機能部、１０９…データ入出力機能部、１１０…文字入力機能部、１１１…電子ペーパ表示機能部、１１２…電源機能部。
【図１】
2009186612.tif 000003
【図２】
2009186612.tif 000004
【図３】
2009186612.tif 000005
【図４】
2009186612.tif 000006
【図５】
2009186612.tif 000007
【図６】
2009186612.tif 000008
【図７】
2009186612.tif 000009
【図８】
2009186612.tif 000010
【図９】
2009186612.tif 000011
【図１０】
2009186612.tif 000012
【図１１】
2009186612.tif 000013
【図１２】
2009186612.tif 000014
【図１３】
2009186612.tif 000015
【図１４】
2009186612.tif 000016
【図１５】
2009186612.tif 000017
【図１６】
2009186612.tif 000018
【図１７】
2009186612.tif 000019
【図１８】
2009186612.tif 000020
【図１９】
2009186612.tif 000021
【図２０】
2009186612.tif 000022
【図２１】
2009186612.tif 000023
【図２２】
2009186612.tif 000024
【図２３】
2009186612.tif 000025
【図２４】
2009186612.tif 000026
【図２５】
2009186612.tif 000027
【図２６】
2009186612.tif 000028
【図２７】
2009186612.tif 000029
【図２８】
2009186612.tif 000030
【図２９】
2009186612.tif 000031
【図３０】
2009186612.tif 000032
【図３１】
2009186612.tif 000033
【図３２】
2009186612.tif 000034
【図３３】
2009186612.tif 000035
【図３４】
2009186612.tif 000036
【図３５】
2009186612.tif 000037
【図３６】
2009186612.tif 000038
【図３７】
2009186612.tif 000039